(57)【要約】  本出願は、SSBで追加情報を搬送するための、放送信号送信方法、放送信号受信方法、ネットワークデバイス、および端末デバイスを開示する。本方法はネットワークデバイスによって実行され、ネットワークデバイスのプロトコルスタックは第1のプロトコル層および第2のプロトコル層を含み、第2のプロトコル層は第1のプロトコル層の下のプロトコル層であり、本方法は、ネットワークデバイスによって、第1のプロトコル層で第1の情報を生成すること、ネットワークデバイスによって、第2のプロトコル層で第2の情報を生成するものであって、第2の情報が、1つ以上の同期信号ブロックSSBに対応する時間周波数リソースを決定するために使用され、ネットワークデバイスによって、第2のプロトコル層で第1の情報および第2の情報を処理すること、ならびにネットワークデバイスによって、SSBの物理放送チャネルPBCHを使用することによって端末デバイスに、第2のプロトコル層の処理後に取得されたデータを送信することを含む。
2020519198.tif 000002
【特許請求の範囲】
【請求項１】
放送信号送信方法であって、前記方法はネットワークデバイスによって実行され、前記ネットワークデバイスのプロトコルスタックは第1のプロトコル層および第2のプロトコル層を備え、前記第2のプロトコル層は前記第1のプロトコル層の下のプロトコル層であり、前記方法が、
前記ネットワークデバイスによって、前記第1のプロトコル層で第1の情報を生成するステップと、
前記ネットワークデバイスによって、前記第2のプロトコル層で第2の情報を生成するステップであって、前記第2の情報が、1つ以上の同期信号ブロックSSBに対応する時間周波数リソースを決定するために使用される、ステップと、
前記ネットワークデバイスによって、前記第2のプロトコル層で前記第1の情報および前記第2の情報を処理するステップと、
前記ネットワークデバイスによって、前記SSBの物理放送チャネルPBCHを使用することによって端末デバイスに第2のプロトコル層の処理後に取得されたデータを送信するステップと
を含む方法。
【請求項２】
前記第2のプロトコル層が、メディアアクセス制御MAC層または物理層である、請求項1に記載の方法。
【請求項３】
前記第2のプロトコル層は前記物理層であり、前記ネットワークデバイスによって、前記SSBのPBCHを使用することによって端末デバイスに第2のプロトコル層の処理後に取得されたデータを送信する前記ステップが、
前記ネットワークデバイスによって、前記SSBの前記PBCHを使用することによって前記端末デバイスに物理層の処理後に取得されたデータを送信するステップ
を含む、請求項2に記載の方法。
【請求項４】
前記第2のプロトコル層は前記MAC層であり、前記ネットワークデバイスによって、前記SSBのPBCHを使用することによって端末デバイスに第2のプロトコル層の処理後に取得されたデータを送信する前記ステップが、
前記ネットワークデバイスによって、第2のプロトコル層の処理後に取得された前記データに対して物理層の処理を実行するステップと、
前記ネットワークデバイスによって、前記SSBの前記PBCHを使用することによって前記端末デバイスに物理層の処理後に取得されたデータを送信するステップと
を含む、請求項2に記載の方法。
【請求項５】
前記第2の情報が前記同期信号ブロックSSBのシーケンス番号である、請求項3または4に記載の方法。
【請求項６】
物理層の処理は、チャネルコーディング、レートマッチング、スクランブリング、変調、リソースマッピング、および逆高速フーリエ変換を含み、前記ネットワークデバイスによって、前記第1の情報および前記第2の情報に対して物理層の処理を実行する前記ステップが、
前記ネットワークデバイスによって、前記第1の情報および前記第2の情報を全体として使用することによって、チャネルコーディングおよび／またはレートマッチングを実行するステップと、
前記ネットワークデバイスによって、対応するスクランブル結果を取得するために、J個の異なるスクランブリングコードの1つを別々に使用することによって、前記チャネルコーディングおよび／または前記レートマッチングの結果に対してスクランブリング処理を実行するステップであって、前記J個のスクランブリングコードのN個の異なるスクランブリングコードのそれぞれが、システムフレーム番号の最後のMビットの値の1つのタイプに対応し、J、N、およびMがすべて自然数で、1＜N≦J、およびN＝M2である、ステップと、
前記ネットワークデバイスによって、変調されたデータを取得するために、前記スクランブル結果に対して変調処理を実行するステップと、
前記ネットワークデバイスによって、前記変調されたデータを前記SSBの前記シーケンス番号に対応する前記SSBのPBCHにマッピングし、物理層の処理後に取得された前記データを取得するために、各PBCHシンボルにマッピングされたデータに対してIFFT処理を実行するステップと
を含む、請求項5に記載の方法。
【請求項７】
物理層の処理は、チャネルコーディング、レートマッチング、スクランブリング、変調、リソースマッピング、および逆高速フーリエ変換を含み、前記ネットワークデバイスによって、前記第1の情報および前記第2の情報に対して物理層の処理を実行する前記ステップが、
前記ネットワークデバイスによって、第1のコーディング結果を取得するために、第1のコーディングレートを使用することによって前記第1の情報に対してチャネルコーディングおよび／またはレートマッチングを実行し、前記ネットワークデバイスによって、第2のコーディング結果を取得するために、第2のコーディングレートを使用することによって前記第2の情報に対してチャネルコーディングおよび／またはレートマッチングを実行するステップと、
対応するスクランブル結果を取得するために、前記ネットワークデバイスによって、J個の異なるスクランブリングコードの1つを別々に使用することによって、前記第1のコーディング結果と前記第2のコーディング結果の組み合わせに対してスクランブリング処理を実行するステップであって、前記J個のスクランブリングコードのN個の異なるスクランブリングコードのそれぞれが、システムフレーム番号の最後のMビットの値の1つのタイプに対応し、J、N、およびMがすべて自然数で、1＜N≦J、およびN＝M2である、ステップと、
前記ネットワークデバイスによって、変調されたデータを取得するために、前記スクランブル結果に対して変調処理を実行するステップと、
前記ネットワークデバイスによって、前記変調されたデータを前記SSBの前記シーケンス番号に対応する前記SSBのPBCHにマッピングし、物理層の処理後に取得された前記データを取得するために、各PBCHシンボルにマッピングされたデータに対してIFFT処理を実行するステップと
を含む、請求項5に記載の方法。
【請求項８】
前記第1のコーディングレートが、前記第2のコーディングレートよりも大きい、請求項7に記載の方法。
【請求項９】
前記第1の情報がシステム情報を含む、請求項1から8のいずれか一項に記載の方法。
【請求項１０】
前記第1のプロトコル層が、無線リソース制御RRC層である、請求項1から9のいずれか一項に記載の方法。
【請求項１１】
放送信号受信方法であって、前記方法は、端末デバイスによって実行され、前記端末デバイスのプロトコルスタックは第1のプロトコル層および第2のプロトコル層を含み、前記第1のプロトコル層は前記第2のプロトコル層の上のプロトコル層であり、前記方法が、
前記端末デバイスによって、物理放送チャネルPBCHを使用することによってネットワークデバイスにより送信されたデータを受信するステップと、
前記端末デバイスによって、前記受信されたデータに対して物理層の処理を実行するステップと、
前記第2のプロトコル層の前記端末デバイスによって、物理層の処理結果から第1の情報および第2の情報を取得するステップであって、前記第2の情報が、前記第1の情報を搬送する1つ以上の同期信号ブロックSSBに対応する時間周波数リソースを決定するために使用される、ステップと、
前記第2のプロトコル層の前記端末デバイスによって、前記第2の情報に基づいて前記端末デバイスの挙動を制御するステップと、
前記第1のプロトコル層の前記端末デバイスによって、前記第1の情報に基づいて前記端末デバイスの挙動を制御するステップと
を含む方法。
【請求項１２】
前記第2のプロトコル層が、物理層またはメディアアクセス制御MAC層である、請求項11に記載の方法。
【請求項１３】
前記第2のプロトコル層はMAC層であり、前記第2のプロトコル層の前記端末デバイスによって、物理層の処理結果から第1の情報および第2の情報を取得する前記ステップが、
前記第2のプロトコル層の前記端末デバイスによって、前記物理層の処理結果を処理するステップと、
前記端末デバイスによって、第2のプロトコル層の処理後に取得されたデータから前記第1の情報および前記第2の情報を取得するステップと
を含む、請求項12に記載の方法。
【請求項１４】
前記第1の情報がシステム情報を含む、請求項11から13のいずれか一項に記載の方法。
【請求項１５】
前記第2の情報が前記同期信号ブロックSSBのシーケンス番号である、請求項11から14のいずれか一項に記載の方法。
【請求項１６】
前記第1のプロトコル層が無線リソース制御RRC層である、請求項11から15のいずれか一項に記載の方法。
【請求項１７】
ネットワークデバイスであって、前記ネットワークデバイスのプロトコルスタックは第1のプロトコル層および第2のプロトコル層を備え、前記第2のプロトコル層は前記第1のプロトコル層の下のプロトコル層であり、前記ネットワークデバイスはトランシーバおよびプロセッサを備え、
前記プロセッサが、前記第1のプロトコル層で第1の情報を生成し、前記第2のプロトコル層で第2の情報を生成し、前記第2の情報が、1つ以上の同期信号ブロックSSBに対応する時間周波数リソースを決定するために使用され、前記第2のプロトコル層で前記第1の情報および前記第2の情報を処理する、ように構成され、
前記トランシーバが、前記SSBに対応する前記時間周波数リソースの物理放送チャネルPBCHを使用することによって端末デバイスに、第2のプロトコル層の処理後に取得されたデータを送信するように構成される、
ネットワークデバイス。
【請求項１８】
前記第2のプロトコル層がメディアアクセス制御MAC層または物理層である、請求項17に記載のネットワークデバイス。
【請求項１９】
前記第2のプロトコル層が前記物理層であり、
前記トランシーバが、前記SSBの前記PBCHを使用することによって、物理層の処理後に取得されたデータを、前記端末デバイスに送信するように構成される、
請求項18に記載のネットワークデバイス。
【請求項２０】
前記第2のプロトコル層は前記MAC層であり、
前記プロセッサが、第2のプロトコル層の処理後に取得された前記データに対して物理層の処理を実行するようにさらに構成され、
前記トランシーバが、前記SSBの前記PBCHを使用することによって、物理層の処理後に取得されたデータを、前記端末デバイスに送信するように構成される、
請求項18に記載のネットワークデバイス。
【請求項２１】
前記第2の情報が前記同期信号ブロックSSBのシーケンス番号である、請求項19または20に記載のネットワークデバイス。
【請求項２２】
前記物理層の処理は、チャネルコーディング、レートマッチング、スクランブリング、変調、リソースマッピング、および逆高速フーリエ変換を含み、
前記プロセッサが、前記第1の情報および前記第2の情報を全体として使用することによって、チャネルコーディングおよび／またはレートマッチングを実行し、
対応するスクランブル結果を取得するために、J個の異なるスクランブリングコードの1つを別々に使用することによって、前記チャネルコーディングおよび／または前記レートマッチングの結果に対してスクランブリング処理を実行し、前記J個のスクランブリングコードのN個の異なるスクランブリングコードのそれぞれが、システムフレーム番号の最後のMビットの値の1つのタイプに対応し、J、N、およびMがすべて自然数で、1＜N≦J、およびN＝M2であり、
変調されたデータを取得するために、前記スクランブル結果に対して変調処理を実行し、
前記変調されたデータを前記SSBの前記シーケンス番号に対応する前記SSBのPBCHにマッピングし、物理層の処理後に取得された前記データを取得するために、各PBCHシンボルにマッピングされたデータに対してIFFT処理を実行する、
ように構成される、請求項21に記載のネットワークデバイス。
【請求項２３】
前記物理層の処理は、チャネルコーディング、レートマッチング、スクランブリング、変調、リソースマッピング、および逆高速フーリエ変換を含み、
前記プロセッサが、第1のコーディング結果を取得するために、第1のコーディングレートを使用することによって前記第1の情報に対してチャネルコーディングおよび／またはレートマッチングを実行して、第2のコーディング結果を取得するために、第2のコーディングレートを使用することによって前記第2の情報に対してチャネルコーディングおよび／またはレートマッチングを実行し、
対応するスクランブル結果を取得するために、J個の異なるスクランブリングコードの1つを別々に使用することによって、前記第1のコーディング結果および前記第2のコーディング結果の組み合わせに対してスクランブリング処理を実行し、前記J個のスクランブリングコードのN個の異なるスクランブリングコードのそれぞれが、システムフレーム番号の最後のMビットの値の1つのタイプに対応し、J、N、およびMがすべて自然数で、1＜N≦J、およびN＝M2であり、
変調されたデータを取得するために、前記スクランブル結果に対して変調処理を実行し、
前記変調されたデータを前記SSBの前記シーケンス番号に対応する前記SSBのPBCHにマッピングし、物理層の処理後に取得された前記データを取得するために、各PBCHシンボルにマッピングされたデータを処理する、
ように構成される、請求項21に記載のネットワークデバイス。
【請求項２４】
前記第1のコーディングレートが、前記第2のコーディングレートよりも大きい、請求項23に記載のネットワークデバイス。
【請求項２５】
前記第1の情報がシステム情報を含む、請求項17から24のいずれか一項に記載のネットワークデバイス。
【請求項２６】
前記第1のプロトコル層が無線リソース制御RRC層である、請求項17から25のいずれか一項に記載のネットワークデバイス。
【請求項２７】
端末デバイスであって、前記端末デバイスのプロトコルスタックは第1のプロトコル層および第2のプロトコル層を備え、前記第1のプロトコル層は前記第2のプロトコル層の上のプロトコル層であり、前記端末デバイスはトランシーバおよびプロセッサを備え、
前記トランシーバが、物理放送チャネルPBCHを使用することによってネットワークデバイスにより送信されたデータを受信するように構成され、
前記プロセッサが、前記受信されたデータに対して物理層の処理を実行し、前記第2のプロトコル層で、物理層の処理結果から第1の情報および第2の情報を取得し、前記第2の情報が、前記第1の情報を搬送する1つ以上の同期信号ブロックSSBに対応する時間周波数リソースを決定するために使用され、前記第2のプロトコル層で、前記第2の情報に基づいて前記端末デバイスの挙動を制御し、前記第1のプロトコル層で、前記第1の情報に基づいて前記端末デバイスの挙動を制御する、ように構成される、
端末デバイス。
【請求項２８】
前記第2のプロトコル層が物理層またはメディアアクセス制御MAC層である、請求項27に記載の端末デバイス。
【請求項２９】
前記第2のプロトコル層は、前記MAC層であり、
前記プロセッサが、前記第2のプロトコル層で、前記物理層の処理結果を処理し、第2のプロトコル層の処理後に取得されたデータから前記第1の情報および前記第2の情報を取得するように構成される、
請求項28に記載の端末デバイス。
【請求項３０】
前記第1の情報がシステム情報を含む、請求項27から29のいずれか一項に記載の端末デバイス。
【請求項３１】
前記第2の情報が前記同期信号ブロックSSBのシーケンス番号である、請求項27から30のいずれか一項に記載の端末デバイス。
【請求項３２】
前記第1のプロトコル層が無線リソース制御RRC層である、請求項27から31のいずれか一項に記載の端末デバイス。
【請求項３３】
コンピュータ記憶媒体であって、前記コンピュータ記憶媒体が、請求項17から26のいずれか一項に記載のネットワークデバイスによって使用されるコンピュータソフトウェア命令を格納するように構成される、コンピュータ記憶媒体。
【請求項３４】
コンピュータ記憶媒体であって、前記コンピュータ記憶媒体が、請求項27から32のいずれか一項に記載の端末デバイスによって使用されるコンピュータソフトウェア命令を格納するように構成される、コンピュータ記憶媒体。
【請求項３５】
ネットワークデバイスであって、前記ネットワークデバイスが、プロセッサ、トランシーバ、およびメモリを備え、前記メモリが命令を格納し、前記命令が前記プロセッサによって実行され、その結果、前記ネットワークデバイスが、請求項1から10のいずれか一項に記載の方法を実行する、ネットワークデバイス。
【請求項３６】
端末デバイスであって、前記端末デバイスが、プロセッサ、トランシーバ、およびメモリを備え、前記メモリが命令を格納し、前記命令が前記プロセッサによって実行され、その結果、前記端末デバイスが、請求項11から16のいずれか一項に記載の方法を実行する、端末デバイス。
【発明の詳細な説明】
【技術分野】
【０００１】
本出願は、通信技術の分野に関し、特に、放送信号送信方法、放送信号受信方法、ネットワークデバイス、および端末デバイスに関する。
【背景技術】
【０００２】
ロングタームエボリューション（英語：Long Term Evolution、LTE）ネットワークでは、セル検索をサポートするために、プライマリ同期信号（英語：Primary Synchronization Signal、PSS）およびセカンダリ同期信号（英語：Secondary Synchronization Signal、SSS）の2つのダウンリンク同期信号が定義されている。ユーザ機器（英語：User Equipment、UE）がセル検索プロセスを完了した後、UEはセルとのダウンリンク同期を達成している。この場合、UEはセルのシステム情報を取得して、セルがどのように構成されているかを知り、セルにアクセスしてセルで正しく機能する必要がある。システム情報は、マスタ情報ブロック（英語：MasterInformationBlock、MIB）およびシステム情報ブロック（英語：SystemInformationBlock、SIB）を含む。MIBは、物理放送チャネル（英語：Physical Broadcast Channel、PBCH）を使用することによって、基地局によってUEに送信される。同期信号とPBCHは、異なる時間周波数リソースを別々に占有する。
【０００３】
新しい無線アクセス技術（new radio access technology、NR）の研究では、複数のビームを考慮した同期信号ブロック（英語：SS block、SSB）の概念が導入されている。ビームとSSBの間には、構成可能なマッピング関係がある。例えば、複数のビームのそれぞれが、異なるSSBを送信するために使用されるか、2つのビームが、同じSSBを送信するために使用され得る。各SSBは、PSSの送信に使用される直交周波数分割多重（英語：Orthogonal Frequency Division Multiplexing、OFDM）シンボル、SSSの送信に使用されるOFDMシンボル、およびPBCHの送信に使用されるOFDMシンボルを含む。基地局は、異なる時間周波数リソースを使用することによって、SSBで同期信号とPBCHを送信する。
【０００４】
1つ以上のSSBが1つのSSバースト（SS burst）を形成し、1つ以上のSS burstが1つのSSバーストセット（SS burst set）を形成する。したがって、1つのSS burst setは1つ以上のSSBを含む。1つのSS burst setは、送信のために所定の量の無線フレーム（radio frame）にマッピングされる。例えば、1つのSS burst setは、送信のために2つの無線フレームにマッピングされる。このようにして、基地局はSS burst setを定期的に送信し、SS burst setを送信する期間は、無線フレームの所定の量である。
【０００５】
前述のSSBの送信方法を考慮すると、UEによるSSBでの検出を実装するため、またはより多くの機能を実装するために、SSBではいくつかの追加情報が搬送される必要がある。例えば、1つのSS burst setは複数のSSBが含み得るため、SSBは、SSBを同じSS burst setに属する別のSSBと区別するために、SSBが属するSS burst setの送信期間におけるSSBのランキングを示すために使用される情報を含める必要がある。
【０００６】
SSBで追加情報をどのように搬送するかは、まだ議論中の問題である。
【発明の概要】
【０００７】
本出願の実施形態は、SSBで追加情報を搬送するための放送信号送信方法および放送信号受信方法を提供する。
【課題を解決するための手段】
【０００８】
第1の態様によれば、放送信号送信方法が提供される。本方法はネットワークデバイスによって実行され、ネットワークデバイスのプロトコルスタックは第1のプロトコル層および第2のプロトコル層を含み、第2のプロトコル層は第1のプロトコル層の下のプロトコル層であり、本方法は、
ネットワークデバイスによって、第1のプロトコル層で第1の情報を生成するステップと、
ネットワークデバイスによって、第2のプロトコル層で第2の情報を生成するステップであって、第2の情報が、1つ以上の同期信号ブロックSSBに対応する時間周波数リソースを決定するために使用される、ステップと、
ネットワークデバイスによって、第2のプロトコル層で第1の情報および第2の情報を処理するステップと、
ネットワークデバイスによって、SSBの物理放送チャネルPBCHを使用することによって端末デバイスに第2のプロトコル層の処理後に取得されたデータを送信するステップと
を含む。
【０００９】
本出願のこの実施形態では、ネットワークデバイスは、第2のプロトコル層の下のプロトコル層で処理することによってのみ、PBCHで端末デバイスに第2の情報を送信することができる。PBCHで送信されるすべての情報が第1のプロトコル層の下のプロトコルスタック全体で処理される解決策と比較すると、この解決策は、プロトコルスタックにおいて、PBCHで送信される情報を処理するために消費される時間を短縮し、サービスの遅延の短縮化に役立つ。
【００１０】
可能な実装形態では、第2のプロトコル層は、メディアアクセス制御MAC層または物理層である。
【００１１】
可能な実装形態では、第2のプロトコル層は物理層であり、ネットワークデバイスによって、SSBのPBCHを使用することによって端末デバイスに第2のプロトコル層の処理後に取得されたデータを送信するステップは、ネットワークデバイスによって、SSBのPBCHを使用することによって端末デバイスに物理層の処理後に取得されたデータを送信するステップを含む。
【００１２】
可能な実装形態では、第2のプロトコル層はMAC層であり、ネットワークデバイスによって、SSBのPBCHを使用することによって端末デバイスに第2のプロトコル層の処理後に取得されたデータを送信するステップは、ネットワークデバイスによって、第2のプロトコル層の処理後に取得されたデータに対して物理層の処理を実行するステップと、SSBのPBCHを使用することによって、ネットワークデバイスによって端末デバイスに物理層の処理後に取得されたデータを送信するステップとを含む。
【００１３】
可能な実装形態では、物理層の処理は、次の方法、すなわちチャネルコーディング、レートマッチング、スクランブリング、変調、時間周波数リソースマッピング、および逆高速フーリエ変換IFFT処理の1つ以上を含む。
【００１４】
可能な実装形態では、第2の情報は同期信号ブロックSSBのシーケンス番号である。
【００１５】
可能な実装形態では、物理層の処理は、チャネルコーディング、レートマッチング、スクランブリング、変調、リソースマッピング、および逆高速フーリエ変換を含み、ネットワークデバイスによって、第1の情報および第2の情報に対して物理層の処理を実行するステップは、
ネットワークデバイスによって、第1の情報および第2の情報を全体として使用することによって、チャネルコーディングおよび／またはレートマッチングを実行するステップと、
対応するスクランブル結果を取得するために、ネットワークデバイスによって、J個の異なるスクランブリングコードの1つを別々に使用することによって、チャネルコーディングおよび／またはレートマッチングの結果に対してスクランブリング処理を実行するステップであって、J個のスクランブリングコードのN個の異なるスクランブリングコードのそれぞれが、システムフレーム番号の最後のMbitの値の1つのタイプに対応し、J、N、およびMがすべて自然数で、1＜N≦J、およびN＝M2である、ステップと、
ネットワークデバイスによって、変調されたデータを取得するために、スクランブル結果に対して変調処理を実行するステップと、
ネットワークデバイスによって、変調されたデータをSSBのシーケンス番号に対応するSSBのPBCHにマッピングし、物理層の処理後に取得されたデータを取得するために、各PBCHシンボルにマッピングされたデータに対してIFFT処理を実行するステップと
を含む。
【００１６】
可能な実装形態では、物理層の処理は、チャネルコーディング、レートマッチング、スクランブリング、変調、リソースマッピング、および逆高速フーリエ変換を含み、ネットワークデバイスによって、第1の情報および第2の情報に対して物理層の処理を実行するステップは、
ネットワークデバイスによって、第1のコーディング結果を取得するために、第1のコーディングレートを使用することによって第1の情報に対してチャネルコーディングおよび／またはレートマッチングを実行し、ネットワークデバイスによって、第2のコーディング結果を取得するために、第2のコーディングレートを使用することによって第2の情報に対してチャネルコーディングおよび／またはレートマッチングを実行するステップと、
対応するスクランブル結果を取得するために、ネットワークデバイスによって、J個の異なるスクランブリングコードの1つを別々に使用することによって、第1のコーディング結果と第2のコーディング結果の組み合わせに対してスクランブリング処理を実行するステップであって、J個のスクランブリングコードのN個の異なるスクランブリングコードのそれぞれが、システムフレーム番号の最後のMbitの値の1つのタイプに対応し、J、N、およびMがすべて自然数で、1＜N≦J、およびN＝M2である、ステップと、
ネットワークデバイスによって、変調されたデータを取得するために、スクランブル結果に対して変調処理を実行するステップと、
ネットワークデバイスによって、変調されたデータをSSBのシーケンス番号に対応するSSBのPBCHにマッピングし、物理層の処理後に取得されたデータを取得するために、各PBCHシンボルにマッピングされたデータに対してIFFT処理を実行するステップと
を含む。
【００１７】
可能な実装形態では、物理層の処理は、チャネルコーディング、レートマッチング、スクランブリング、変調、リソースマッピング、および逆高速フーリエ変換を含み、ネットワークデバイスによって、第1の情報および第2の情報に対して物理層の処理を実行するステップは、
ネットワークデバイスによって、第1のコーディング結果を取得するために、第1のコーディングレートを使用することによって第1の情報に対してチャネルコーディングおよび／またはレートマッチングを実行し、ネットワークデバイスによって、第2のコーディング結果を取得するために、第2のコーディングレートを使用することによって第2の情報に対してチャネルコーディングおよび／またはレートマッチングを実行するステップと、
対応する第1のスクランブル結果および第2のスクランブル結果を取得するために、ネットワークデバイスによって、J個の異なるスクランブリングコードの1つを別々に使用することによって、第1のコーディング結果および第2のコーディング結果に対してスクランブリング処理を実行するステップであって、J個のスクランブリングコードのN個の異なるスクランブリングコードのそれぞれが、システムフレーム番号の最後のMbitの値の1つのタイプに対応し、J、N、およびMがすべて自然数で、1＜N≦J、およびN＝M2である、ステップと、
ネットワークデバイスによって、変調されたデータを取得するために、第1のスクランブル結果と第2のスクランブル結果の組み合わせに対して変調処理を実行するステップと、
ネットワークデバイスによって、変調されたデータをSSBのシーケンス番号に対応するSSBのPBCHにマッピングし、物理層の処理後に取得されたデータを取得するために、各PBCHシンボルにマッピングされたデータに対してIFFT処理を実行するステップと
を含む。
【００１８】
可能な実装形態では、物理層の処理は、チャネルコーディング、レートマッチング、スクランブリング、変調、リソースマッピング、および逆高速フーリエ変換を含み、ネットワークデバイスによって、第1の情報および第2の情報に対して物理層の処理を実行するステップは、
ネットワークデバイスによって、第1のコーディング結果を取得するために、第1のコーディングレートを使用することによって第1の情報に対してチャネルコーディングおよび／またはレートマッチングを実行し、ネットワークデバイスによって、第2のコーディング結果を取得するために、第2のコーディングレートを使用することによって第2の情報に対してチャネルコーディングおよび／またはレートマッチングを実行するステップと、
対応する第1のスクランブル結果および第2のスクランブル結果を取得するために、ネットワークデバイスによって、J個の異なるスクランブリングコードの1つを別々に使用することによって、第1のコーディング結果および第2のコーディング結果に対してスクランブリング処理を実行するステップであって、J個のスクランブリングコードのN個の異なるスクランブリングコードのそれぞれが、システムフレーム番号の最後のMbitの値の1つのタイプに対応し、J、N、およびMがすべて自然数で、1＜N≦J、およびN＝M2である、ステップと、
ネットワークデバイスによって、対応する第1の変調されたデータおよび対応する第2の変調されたデータを取得するために、第1のスクランブル結果および第2のスクランブル結果に対して変調処理を別々に実行するステップと、
ネットワークデバイスによって、第1の変調されたデータおよび第2の変調されたデータの組み合わせをSSBのシーケンス番号に対応するSSBのPBCHにマッピングし、物理層の処理後に取得されたデータを取得するために、各PBCHシンボルにマッピングされたデータに対してIFFT処理を実行するステップと
を含む。
【００１９】
可能な実装形態では、物理層の処理は、チャネルコーディング、レートマッチング、スクランブリング、変調、リソースマッピング、および逆高速フーリエ変換を含み、ネットワークデバイスによって、第1の情報および第2の情報に対して物理層の処理を実行するステップは、
ネットワークデバイスによって、第1のコーディング結果を取得するために、第1のコーディングレートを使用することによって第1の情報に対してチャネルコーディングおよび／またはレートマッチングを実行し、ネットワークデバイスによって、第2のコーディング結果を取得するために、第2のコーディングレートを使用することによって第2の情報に対してチャネルコーディングおよび／またはレートマッチングを実行するステップと、
対応する第1のスクランブル結果および第2のスクランブル結果を取得するために、ネットワークデバイスによって、J個の異なるスクランブリングコードの1つを別々に使用することによって、第1のコーディング結果および第2のコーディング結果に対してスクランブリング処理を実行するステップであって、J個のスクランブリングコードのN個の異なるスクランブリングコードのそれぞれが、システムフレーム番号の最後のMbitの値の1つのタイプに対応し、J、N、およびMがすべて自然数で、1＜N≦J、およびN＝M2である、ステップと、
ネットワークデバイスによって、対応する第1の変調されたデータおよび対応する第2の変調されたデータを取得するために、第1のスクランブル結果および第2のスクランブル結果に対して変調処理を別々に実行するステップと、
ネットワークデバイスによって、第1のマッピング結果を取得するために、第1の変調されたデータをSSBのシーケンス番号に対応するSSBのPBCHの第1のリソースにマッピングし、第2のマッピング結果を取得するために、第2の変調されたデータをSSBのシーケンス番号に対応するSSBのPBCHの第2のリソースにマッピングするステップと、
ネットワークデバイスによって、第1のIFFT結果および第2のIFFT結果を取得するために、第1のマッピング結果および第2のマッピング結果に対して逆フーリエ変換IFFT処理を実行するステップであって、第1のIFFT結果および第2のIFFT結果が、物理層の処理後に取得されたデータである、ステップと
を含む。
【００２０】
比較的低いコーディングレートでコーディングが実行された後、端末デバイスが対応するデコーディングを実行するときに取得されるデコーディング結果は、比較的高い信頼性を有する。第2の情報は、端末デバイスの挙動に対する制御に関して比較的高い適時性要件を有し、したがって、第2の情報は、比較的低いコーディングレートでエンコードされ得る。これにより、端末デバイスは、複数のフレームで検出された第2の情報を組み合わせる必要がなく、1つのフレームで検出された第2の情報のみに基づいてタイムシーケンス調整を実行し、それによって、タイムシーケンス調整を大幅に加速できる。任意選択として、前述のいくつかの可能な実装形態では、第1のコーディングレートは第2のコーディングレートよりも大きい。
【００２１】
可能な実装形態では、第1の情報はシステム情報を含む。システム情報は、システム帯域幅パラメータ値、システムフレーム番号の第1のL−Mbit、または残りの最小システム情報の構成情報の1つ以上を含み、システムフレーム番号は、Lbitの合計を含み、LとMは両方とも自然数で、1＜M≦Lである。
【００２２】
可能な実装形態では、第1のプロトコル層はRRC層である。
【００２３】
第2の態様によれば、放送信号受信方法が提供される。本方法は端末デバイスによって実行され、端末デバイスのプロトコルスタックは第1のプロトコル層および第2のプロトコル層を含み、第1のプロトコル層は第1のプロトコル層の上のプロトコル層であり、本方法は、
端末デバイスによって、物理放送チャネルPBCHを使用することによってネットワークデバイスにより送信されたデータを受信するステップと、端末デバイスによって、受信されたデータに対して物理層の処理を実行するステップと、第2のプロトコル層の端末デバイスによって、物理層の処理結果から第1の情報および第2の情報を取得するステップであって、第2の情報が、第1の情報を搬送する1つ以上の同期信号ブロックSSBに対応する時間周波数リソースを決定するために使用される、ステップと、第2のプロトコル層の端末デバイスによって、第2の情報に基づいて端末デバイスの挙動を制御するステップと、第1のプロトコル層の端末デバイスによって、第1の情報に基づいて端末デバイスの挙動を制御するステップと
を含む。
【００２４】
本出願のこの実施形態で提供される放送信号受信方法では、物理層で、PBCHで送信されるデータを処理した後、端末デバイスは、物理層の処理後に取得されたすべてのデータを処理のために第1のプロトコル層に報告する必要はなく、代わりに、第2のプロトコル層でその第2の情報を直接読み取り、第2の情報に基づいて端末デバイスの挙動を制御することができる。端末デバイスによってプロトコルスタックの第2の情報を処理するのにかかる時間が短縮されるため、サービス遅延が短縮され得、サービスの適時性が改善され得る。
【００２５】
可能な実装形態では、第2のプロトコル層は物理層またはMAC層である。
【００２６】
可能な実装形態では、第2のプロトコル層はMAC層であり、第2のプロトコル層の端末デバイスによって、物理層の処理結果からの第1の情報および第2の情報を取得するステップは、第2のプロトコル層の端末デバイスによって、物理層の処理結果を処理するステップと、端末デバイスによって、第2のプロトコル層の処理後に取得されたデータから第1の情報および第2の情報を取得するステップとを含む。
【００２７】
可能な実装形態では、端末デバイスによって、PBCHを使用することによってネットワークデバイスによって送信されたデータを受信するステップは、
端末デバイスによって、同期信号を検出し、同期信号を使用することによって、セル識別子およびPBCHに対応する時間周波数リソースを決定するステップと、PBCHに対応する時間周波数リソースで、PBCHを使用することによってネットワークデバイスによって送信されたデータを受信するステップと
を含む。
【００２８】
可能な実装形態では、端末デバイスによって、受信したデータに対して物理層の処理を実行するステップは、
PBCHを使用することによって基地局によって送信された受信したデータに対して高速フーリエ変換FFT処理を実行するステップと、復調したデータを取得するために、FFT処理によって取得したデータを復調するステップと、セル識別子に従ってJ個のスクランブル解除シーケンスを取得するステップと、端末デバイスによって、復調したデータをスクランブル解除するために、J個のスクランブル解除シーケンスからスクランブル解除シーケンスを選択するステップと、端末デバイスによって、スクランブル解除によって取得したデータに対してチャネルデコーディングを実行し、復調したデータを正しくスクランブル解除するために使用され得るスクランブル解除シーケンスを決定するために、チャネルデコーディングによって取得したデータに対してCRCチェックを実行するステップと
を含む。正しいスクランブル解除によって取得したチャネルデコーディング結果が物理層の処理結果として使用され、その結果UEは、物理層の処理結果から第1の情報および第2の情報を取得し、物理層の処理結果は、第1の情報および第2の情報を含む。
【００２９】
可能な実装形態では、端末デバイスによって、受信したデータに対して物理層の処理を実行するステップは、
PBCHを使用することによって基地局によって送信された受信したデータに対してFFT処理を実行するステップと、復調したデータを取得するために、FFT処理によって取得したデータを復調するステップと、セル識別子に従ってJ個のスクランブル解除シーケンスを取得するステップと、端末デバイスによって、復調したデータをスクランブル解除するために、J個のスクランブル解除シーケンスからスクランブル解除シーケンスを選択するステップと、端末デバイスによって、スクランブル解除されたデータから含まれる第1のデータおよび第2のデータを取得するステップと、端末デバイスによって、第1のデコーディングレートを使用することによって第1のデータに対してチャネルデコーディングを実行し、復調したデータを正しくスクランブル解除するために使用され得るスクランブル解除シーケンスを決定するために、チャネルデコーディングによって取得したデータに対してCRCチェックを実行するステップと
を含む。第1の情報として、正しいスクランブル解除によって取得したチャネルデコーディング結果が使用される。チャネルデコーディングは、第2のデコーディングレートを使用することによって第2のデータに対して実行され、CRCチェックは、復調したデータを正しくスクランブル解除するために使用され得るスクランブル解除シーケンスを決定するために、チャネルデコーディングによって取得したデータに対して実行される。第2の情報として、正しいスクランブル解除によって取得したチャネルデコーディング結果が使用される。
【００３０】
コーディングレートに対応して、第1のデコーディングレートは第2のデコーディングレートよりも大きい。基地局が第2の情報をコーディングするときに使用されるコーディングレートは比較的低いため、端末デバイスによって実行される対応するデコーディングのデコーディング精度は比較的高い。任意選択として、前述の可能な実装形態では、第1のデコーディングレートは第2のデコーディングレートよりも大きい。
【００３１】
可能な実装形態では、第1の情報はシステム情報を含む。システム情報は、システム帯域幅、システムフレーム番号の第1のL−Mbit、または残りの最小システム情報の構成情報を含み、システムフレーム番号は、Lbitの合計を含み、LとMは両方とも自然数で、1＜M≦Lである。
【００３２】
可能な実装形態では、第2の情報は同期信号ブロックSSBのシーケンス番号である。
【００３３】
可能な実装形態では、第1のプロトコル層はRRC層である。
【００３４】
第3の態様によれば、ネットワークデバイスが提供される。ネットワークデバイスは、第1の態様の方法または第1の態様の可能ないずれかの実装形態を実装する機能を有する。当該機能はハードウェアを使用することにより実現されても、対応するソフトウェアを実行するハードウェアにより実装されてもよい。ハードウェアまたはソフトウェアは、前述の機能に対応する1つ以上のモジュールを含む。
【００３５】
第4の態様によれば、端末デバイスが提供される。端末デバイスは、第2の態様の方法または第2の態様の可能ないずれかの実装形態を実装する機能を有する。当該機能はハードウェアを使用することにより実現されても、対応するソフトウェアを実行するハードウェアにより実装されてもよい。ハードウェアまたはソフトウェアは、前述の機能に対応する1つ以上のモジュールを含む。
【００３６】
第5の態様によれば、本出願の実施形態は、前述のネットワークデバイスによって使用されるコンピュータソフトウェア命令を格納するように構成され、第1の態様または第1の態様の可能ないずれかの実装形態を実行するために設計されたプログラムを含む、コンピュータ記憶媒体を提供する。
【００３７】
第6の態様によれば、本出願の実施形態は、前述の端末デバイスによって使用されるコンピュータソフトウェア命令を格納するように構成され、第2の態様または第2の態様の可能ないずれかの実装形態を実行するために設計されたプログラムを含む、コンピュータ記憶媒体を提供する。
【００３８】
第7の態様によれば、本出願の実施形態は、通信システムをさらに提供し、通信システムは、第3の態様または第3の態様の可能ないずれかの実装形態によるネットワークデバイス、および第4の態様または第4の態様の可能ないずれかの実装形態による端末デバイスを含む。
【００３９】
本出願の実施形態の技術的解決策をより明確に説明するために、以下では実施形態を説明するのに必要な添付図面を簡単に説明する。明らかに、以下の説明での添付の図面は本出願のいくつかの実施形態を示すに過ぎず、当業者は創造的な努力なしにこれらの添付の図面から他の図面を引き続き導き出すことができる。
【図面の簡単な説明】
【００４０】
【図１】本出願の一実施形態が適用されるネットワークシステムの概略図である。
【図２】本出願の一実施形態にリスト表示された可能なSSBの概略構造図である。
【図３】本出願の一実施形態にリスト表示された可能なSSBバーストセットの送信期間の概略図である。
【図４】本出願の一実施形態による放送信号伝送方法のフローチャートである。
【図５】本出願の一実施形態による可能なプロトコルスタック構造に関する放送信号送信方法の概略図である。
【図６Ａ】本出願の一実施形態による放送信号送信方法のフローチャートである。
【図６Ｂ】本出願の一実施形態による放送信号送信方法のフローチャートである。
【図７】本出願の一実施形態による放送信号送信方法の概略図である。
【図８Ａ】本出願の一実施形態による別の放送信号送信方法のフローチャートである。
【図８Ｂ】本出願の一実施形態による別の放送信号送信方法のフローチャートである。
【図９】本出願の一実施形態による別の放送信号送信方法の概略図である。
【図１０】本出願の一実施形態による別の放送信号送信方法の概略図である。
【図１１】本出願の一実施形態による別の放送信号送信方法の概略図である。
【図１２】本出願の一実施形態による別の放送信号送信方法の概略図である。
【図１３】本出願の一実施形態による放送信号送信方法のフローチャートである。
【図１４】本出願の一実施形態による放送信号送信方法の概略図である。
【図１５】本出願の一実施形態による放送信号受信方法のフローチャートである。
【図１６Ａ】本出願の一実施形態による別の放送信号受信方法のフローチャートである。
【図１６Ｂ】本出願の一実施形態による別の放送信号受信方法のフローチャートである。
【図１７】本出願の一実施形態によるネットワークデバイスの概略構造図である。
【図１８】本出願の一実施形態による別のネットワークデバイスの概略構造図である。
【図１９】本出願の一実施形態による端末デバイスの概略構造図である。
【図２０】本出願の一実施形態による別の端末デバイスの概略構造図である。
【発明を実施するための形態】
【００４１】
以下では、添付の図面を参照して、本出願の技術的解決策について説明する。
【００４２】
図1は、本出願の一実施形態が適用されるネットワークシステムの概略図である。図1に示されるように、ネットワークシステム100は、ネットワークデバイス102ならびに端末デバイス104、106、108、110、112、および114を含むことができる。ネットワークデバイスおよび端末デバイスはワイヤレス方式で接続されている。図1において、説明は、ネットワークシステムが1つのネットワークデバイスを含む例のみに基づいていることを理解していただきたい。しかしながら、本発明の実施形態は本明細書に限定されない。例えば、システムは代替として、より多くのネットワークデバイスを含んでもよい。同様に、システムは、代替として、より多くの端末デバイスを含んでもよい。
【００４３】
本明細書は、端末デバイスを参照して実施形態を説明する。端末デバイスは、代替として、UE、アクセス端末、移動局、遠隔局、遠隔端末、モバイルデバイス、ユーザ端末、またはユーザエージェントであってもよい。代替として、端末デバイスは、ワイヤレス通信機能を有するハンドヘルドデバイス、コンピューティングデバイス、ワイヤレスモデムに接続された別の処理デバイス、車載デバイス、ウェアラブルデバイス、将来の5Gネットワークの端末デバイス、将来の進化したパブリックランドモバイルネットワーク（Public Land Mobile Network、PLMN）ネットワークの端末デバイスなどであってもよい。
【００４４】
限定ではなく一例として、本発明の実施形態では、端末デバイスはウェアラブルデバイスであってもよい。ウェアラブルデバイスは、ウェアラブルインテリジェントデバイスとも呼ばれる場合があり、ウェアラブルテクノロジを普段着のインテリジェントデザインに適用することによって開発される、メガネ、手袋、時計、衣服、靴などのウェアラブルデバイスの総称である。ウェアラブルデバイスは、身体に直接着用されるか、衣服やユーザのアクセサリに組み込まれるポータブルデバイスである。ウェアラブルデバイスはハードウェアデバイスであるだけでなく、ソフトウェアサポート、データ交換、クラウドインタラクションを通じて強力な機能を実装する。一般化されたウェアラブルインテリジェントデバイスは、スマートウォッチやスマートグラスなど、スマートフォンに依存せずに全面的または部分的な機能を実装できるフル機能の大型デバイス、および物理的な兆候をモニタリングするための様々なスマートバンドやスマートジュエリーなど、1つのタイプのアプリケーション機能のみに焦点を当てて、スマートフォンなどの他のデバイスと協働する必要があるデバイスを含む。本出願の実施形態では、端末デバイスの構造および処理手順を説明するための一例としてUEが使用される。
【００４５】
本明細書は、ネットワークデバイスを参照して実施形態を説明する。ネットワークデバイスは、端末デバイスと通信するように構成されるデバイスであり得る。ネットワークデバイスは、モバイル通信用のグローバルシステム（Global System of Mobile communications、GSM（登録商標））またはコード分割多元接続（Code Division Multiple Access、CDMA）の基地トランシーバ局（Base Transceiver Station、BTS）であってもよく、あるいは広帯域符号分割多元接続（Wideband Code Division Multiple Access、WCDMA（登録商標））システムのNodeB（NodeB、NB）であってもよく、あるいはロングタームエボリューション（Long Term Evolution、LTE）システムの進化NodeB（Evolutional Node B、eNBまたはeNodeB）であってもよく、あるいはクラウド無線アクセスネットワーク（英語：Cloud Radio Access Network、CRAN）シナリオの無線コントローラ、または将来の5GネットワークのgNodeB（gNBまたはgNodeB）あってもよい。本出願の実施形態では、基地局は、ネットワークデバイスの構造および処理手順を説明するための一例として使用される。
【００４６】
図2は、可能なSSBの概略構造図である。1つのSSBは、1つのOFDMシンボルのPSS（またはNR−PSS）、1つのOFDMシンボルのSSS（またはNR−SSS）、および2つのOFDMシンボルのPBCH（またはNR−PBCH）を含む。NR−PSSおよびNR−SSSは、従来の規格（例えば、LTE）におけるPSSおよびSSSの機能をそれぞれ有してもよい。例えば、NR−PSSは、セルグループ内のOFDMシンボルタイミング、周波数同期、スロットタイミング、およびセルIDを決定するために使用され得る。NR−SSSは、フレームタイミング、セルグループなどを決定するために使用され得る。代替として、NR−PSSおよびNR−SSSは、現在のPSSおよび現在のSSSのものとは異なる機能を有してもよい。これは、本発明のこの実施形態では限定されない。加えて、NR−PSSおよびNR−SSSは、現在のPSSおよび現在のSSSのシーケンスとは別個に同じまたは異なるシーケンスを使用してもよい。これも、本発明のこの実施形態では限定されない。加えて、本発明のこの実施形態では、NR−PBCHは、従来の規格（例えば、LTE）におけるPBCHと同じまたは異なる機能を有してもよい。これも本発明では限定されない。任意選択で、NR−PBCHはマスタ情報ブロック（Master Information Block、MIB）を搬送することができる。
【００４７】
図2に示されるSSBのリソース構造は、可能な構造に過ぎず、本発明のこの実施形態に対する制限を構成するものではないことを理解していただきたい。例えば、周波数領域でNR−PSS、NR−SSS、およびNR−PBCHによって占有されるサブキャリアの量は異なる場合があり、図には示されていない。代替として、NR−PSS、NR−SSS、およびNR−PBCHは時間的に不連続であってもよい。代替として、SSBは、NR−PSSおよびNR−PBCHのみを含むことができ、またはNR−SSSおよびNR−PBCHのみを含むことができ、またはNR−PBCHのみを含むこともできる。本発明のこの実施形態では、SSBのリソース構造は特に限定されない。
【００４８】
SSBで追加情報を搬送する方法については、SSBに含まれるNR−PBCHリソースで追加情報を搬送することを、いくつかの研究が提案している。追加情報は、例えば、SSBが属するSS burst setの送信期間のSSBの順序を示すために使用されるシーケンス番号（英語：Time Index、TI）である。しかしながら、基地局がNR−PBCHリソースの追加情報をどのように示し、UEがNR−PBCHリソースからSSBの追加情報をどのように読み取るかは、依然として解決されるべき問題である。
【００４９】
発明人は、SSBのために導入された追加情報が、複数の機能を実装する場合もあることに気付いた。一例としてSSBのTIを使用すると、TIは、SSBが属するSS burst setの送信期間でSSBの順序を示し得るだけでなく、同じTIを持つSSBもSSBが属するSSBバーストセットの送信期間に相対的固定時間周波数リソースにすべてマッピングされる。したがって、1つのSSBでTIを取得した後、UEは、UEとセルの無線フレームの間のタイムシーケンス調整を実装するために、TIのコンテンツおよびSSBバーストセットの送信期間に各TIに対応するSSBがマッピングされた事前学習された時間周波数リソースに基づいて、セルのフレーム／スロット（frame／slot）の境界を推測できる。図3は、可能なSSB送信の解決策の概略図である。図3では、各SS burst set送信期間（periodicity）は2つの無線フレームを含み、各無線フレームは10 msであり、SS burst set送信期間の第1の無線フレームは8つのSSBを含む。各SS burst set送信期間で、SSB 2はSS burst set送信期間の固定時間周波数リソースにマッピングされる。UEがSSBのTI、例えばTI＝2を知っている場合、無線フレームの境界が計算され得る。
【００５０】
しかしながら、PBCHで送信されるコンテンツを処理するための従来の解決策が使用される場合、UEがTIに基づいてタイムシーケンス調整を実装することは比較的困難である。5Gのプロトコルスタックのプロトコル層と既存のLTEネットワークの間の関係を参照すると、UEがPBCHで送信される情報を取得する必要がある場合、UEは、複数のプロトコル層で、物理層（英語：physical、PHY）で受信されたデータを処理し、無線リソース制御（英語：Radio Resource Control、RRC）にデータを報告する必要があり、その結果、データはRRC層によって読み取られるようになる。複数のプロトコル層での信号処理は比較的長い時間を消費するため、UEとセルの間の高速タイムシーケンス調整を実装することは難しく、後続のサービス遅延が引き起こされる。
【００５１】
本発明の実施形態は、新しい無線（英語：New Radio、NR）に適した放送信号伝送の解決策を提供する。基地局およびUEの下位プロトコル層での処理手順が改善され、例えば、物理層での処理手順が改善される。基地局の観点から、PBCHで送信される情報の一部は、基地局の下位プロトコル層（例えば、物理層）で生成され、PBCHで送信されるすべての情報が上位プロトコル層（例えば、RRC層）で生成され、下位プロトコル層に送信されるわけではない。UEの観点から、UEの下位プロトコル層は、PBCHで送信された情報の一部を読み取り、下位プロトコル層で、PBCHで受信されたデータを処理する代わりに、情報の一部に基づいてUEを制御して、処理により取得されたすべての情報をさらに処理するために上位プロトコル層に送信し、次に上位プロトコル層での処理後に取得された情報に基づいてUEを制御する。これにより、基地局とUEが情報の一部に対するプロトコル層の処理を実行するのに消費される時間が短縮され得、その結果、下位プロトコル層での処理によって取得した情報の一部に基づいてUEが迅速に制御され得、後続のサービス遅延が短縮される。例えば、UEは、物理層で読み取られたTIに基づいて、セルとのタイムシーケンス調整を迅速に実装できる。
【００５２】
以下では、複数の添付図面を参照して、本出願の技術的解決策について詳細に説明する。
【００５３】
図4は、本出願の一実施形態による放送信号伝送方法のフローチャートである。図4では、図1のネットワークデバイス102を説明する一例として基地局が使用されている。図4のUEは、図1の端末デバイス104、106、108、110、112、および114であり得る。図4は、主に基地局の観点から説明されている。
【００５４】
ステップ40：基地局は、第1のプロトコル層で第1の情報を生成する。基地局のプロトコルスタックは、第1のプロトコル層および第2のプロトコル層を含み、第2のプロトコル層は、第1のプロトコル層の下のプロトコル層である。
【００５５】
本出願では、第1のプロトコル層および第2のプロトコル層はシーケンス関係を示さず、代わりに異なるプロトコル層を区別するために使用され、後述される第1の情報、第2の情報などは異なる情報を区別するためにも使用される。
【００５６】
任意選択で、図5は、本出願の一実施形態による可能なプロトコルスタック構造に関する放送信号送信方法の概略図である。プロトコルスタックは、上から下にそれぞれRRC層、パケットデータ収束プロトコル（英語：Packet Data Convergence Protocol、PDCP）層、無線リンク制御（英語：Radio Link Control、RLC）層、メディアアクセス制御（英語：Media Access Control、MAC）層および物理（英語：Physical、PHY）層の5つのプロトコル層を含む。
【００５７】
5Gネットワークにおけるプロトコル層分割はまだ議論中であり、図5に示されるプロトコルスタックは改善され得ることに留意していただきたい。例えば、複数のプロトコル層が組み合わされるか、新しいプロトコル層が追加される。この実施形態では、第1のプロトコル層がRRC層であるということは、第1のプロトコル層と第2のプロトコル層の間の相対関係が、第1のプロトコル層が第2のプロトコル層の上のプロトコル層であることが保証されるという条件で、説明のための一例としてのみ使用される。
【００５８】
任意選択で、第1の情報はシステム情報を含む。システム情報は、LTEネットワークのシステム情報でも、NR規格で定義されたシステム情報でもよい。例えば、システム情報は、システム帯域幅（英語：System Bandwidth）、システムフレーム番号（英語：System Frame Number、SFN）、または残りの最小システム情報の構成情報（英語：remaining minimum system information、RMSI）を含む。RMSIの構成情報は、RMSIの送信に使用される時間周波数リソースおよびサブキャリア間隔を示すために使用される。SFNのいくつかのbitはシステム情報に含まれ場合があり、その他のbitは、物理層での後続のスクランブルによって暗黙的に示される場合がある。例えば、SFNは合計10bitを有し、システム情報はSFNの第1の8bitが含まれる。SFNの最後の2bitは、物理層での後続のスクランブルによって暗黙的に示される。
【００５９】
ステップ41：基地局は、第2のプロトコル層で第2の情報を生成する。任意選択で、第2のプロトコル層はMAC層または物理層である。第2の情報は、SSBのPBCHシンボルで搬送される追加情報である。追加情報は、SSBに関連する情報である。ネットワークは、追加情報に基づいてより多くの機能を実装できる。例えば、第2の情報は、1つ以上の同期信号ブロックSSBに対応する時間周波数リソースを決定するために使用される。
【００６０】
任意選択で、第2の情報はSSBのTIである。基地局が第1の情報および第2の情報を送信すると、物理層は、TIによって示されるSSBの時間周波数リソースに、第1の情報および第2の情報に対して物理層の処理が実行された後に取得されるデータをマッピングする。具体的には、物理層は、TIによって示されるSSBのPBCHのOFDMシンボルを使用することによって、第1の情報および第2の情報に対して物理層の処理が実行された後に取得されるデータを後続に搬送する。
【００６１】
ステップ42：基地局は、第2のプロトコル層で第1の情報および第2の情報を処理する。
【００６２】
第2のプロトコル層がMAC層である場合、第2のプロトコル層の処理は、MAC層で、エアインタフェースで送信されるデータの形式、例えばデータブロックのサイズを決定すること、およびデータブロックのサイズに基づいて物理層リソースを割り当てること、例えば、データブロックの変調およびコーディングスキームを決定し、データブロックの搬送に使用されるサブキャリアの量を決定する。
【００６３】
例えば、第2のプロトコル層はMAC層、第1の情報はシステム情報、第2の情報はTIである。MACは、放送制御チャネル（英語：Broadcast Control Channel、BCCH）およびMAC層によって生成されたSSBのTIを使用することによって、RRC層によって送信されたシステム情報を受信した後、MAC層は対応する制御情報を決定する。制御情報は、システム情報およびTIを送信するために使用されるデータブロックのサイズ、データブロックを調整する方法、およびデータブロックを搬送するために使用されるサブキャリアを含む。次に、MAC層は、放送チャネル（英語：Broadcast Channel、BCH）を使用することによって、システム情報とTI、制御情報などを送信するために使用されるデータブロックを物理層に個別に通知するか、またはBCHを使用することによって情報の組み合わせを物理層に通知し、その結果、BCHで受信されたデータに対して物理層の処理を実行した後、物理層は物理放送チャネル（英語：Physical Broadcast Channel、PBCH）を使用することによってUEに物理層の処理後に取得されたデータを送信する。
【００６４】
第2のプロトコル層が物理層の場合、第2のプロトコル層の処理は、チャネルコーディング、レートマッチング、インターリーブ、スクランブリング、変調、時間周波数リソースマッピング、逆高速フーリエ変換（英語：Inverse Fast Fourier Transform、IFFT）などを含む。
【００６５】
例えば、第2のプロトコル層は物理層で、第1の情報はシステム情報で、第2の情報はTIである。物理層によって生成されたSSBのシステム情報およびTIを受信した後、物理層は、システム情報およびTIに対して前述の物理層の処理を実行する。システム情報は、RRC層によって生成され、PDCP層、RLC層、およびMAC層によって処理され、BCHを使用することによって物理層に通知される。
【００６６】
ステップ43：基地局は、SSBのPBCHを使用することによって、第2のプロトコル層の処理後に取得されたデータをUEに送信し、SSBは、第2の情報に基づいて基地局によって決定されたSSBである。
【００６７】
第2のプロトコル層がMAC層である場合、ステップ43は具体的には2つのステップを含む。
【００６８】
ステップ1：基地局は、MAC層で処理することによって取得したデータに対して物理層の処理を実行する。物理層の処理は、チャネルコーディング、レートマッチング、インターリーブ、スクランブリング、変調などを含む。
【００６９】
ステップ2：基地局は、SSBのPBCHを使用することによって、物理層の処理後に取得されたデータをUEに送信する。
【００７０】
第2のプロトコル層が物理層である場合、ステップ43は、基地局が物理層の処理後に取得されたデータをSSBのPBCHを使用することによってUEに送信することを意味する。具体的には、基地局は、物理層で、物理層の処理後に取得されたデータを、SFNおよび第2の情報によって指定された時間周波数リソースにマッピングして、当該データをUEに送信する。
【００７１】
本出願のこの実施形態では、ネットワークデバイスのプロトコルスタックは、第1のプロトコル層および第2のプロトコル層を含み、第2のプロトコル層は、第1のプロトコル層の下のプロトコル層である。基地局の場合、PBCHで最終的に送信される情報の第1の情報は第1のプロトコル層で生成され、第2の情報は第2のプロトコル層で生成され、第2の情報は1つ以上の同期信号ブロックSSBに対応する時間周波数リソースを決定するために使用される。第2の情報は、第2のプロトコル層の下のプロトコル層で処理されることによってのみ、PBCHでUEに送信されてもよい。PBCHで送信されるすべての情報が第1のプロトコル層の下のプロトコルスタック全体で処理される解決策と比較すると、この解決策は、プロトコルスタックにおいて、PBCHで送信される情報を処理するために消費される時間を短縮し、サービスの遅延の短縮化に役立つ。
【００７２】
図6Aおよび図6Bおよび図7では、図4の第2のプロトコル層が物理層であることが、本出願の実施形態で提供される放送信号送信方法をさらに説明するための一例として使用される。
【００７３】
図6Aおよび図6Bは、本出願の一実施形態による放送信号伝送方法のフローチャートである。図6Aおよび図6Bでは、図1のネットワークデバイス102を説明するための一例として基地局が使用されている。さらに、図6Aおよび図6Bでは、本出願のこの実施形態で提供される放送信号伝送方法は、第1のプロトコル層がRRC層であり、第2のプロトコル層が物理層である例を使用することによって説明される。
【００７４】
ステップ600：基地局は、RRC層で第1の情報を生成する。第1の情報は、システム情報を含む。システム情報の説明については、図4で説明した実施形態の説明を参照してください。詳細については、本明細書では再度説明されない。RRC層は、生成された第1の情報に対して抽象構文表記法1（英語：Abstract Syntax Notation One、ASN．1）カプセル化を実行し、BCCHを使用することによってASN．1カプセル化が実行された第1の情報をMAC層に送信する。MAC層は、ASN．1カプセル化が実行された受信した第1の情報に対してMAC層の処理を実行し、次にBCHを使用することによって第1の情報を物理層に送信する。
【００７５】
ステップ601：基地局の物理層は、BCHによって送信されたデータブロックを介して、MAC層の処理が実行される第1の情報を受信し、第1の情報は、RRC層によって生成されたシステム情報である。
【００７６】
ステップ602：基地局の物理層は第2の情報を生成する。任意選択で、第2の情報はSSBのTIである。
【００７７】
ステップ603：基地局は、MAC層の処理が実行される第1の情報および物理層によって生成された第2の情報に対して物理層の処理を実行する。
【００７８】
任意選択で、物理層の処理がチャネルコーディング、スクランブリング、および変調を含む場合、基地局は、ステップ6031から6035を使用することによって、MAC層の処理が実行される第1の情報および物理層によって生成される第2の情報に対して物理層の処理を実行できる。
【００７９】
ステップ6031：基地局は、第2の情報とMAC処理が実行される第1の情報を組み合わせる。任意選択で、基地局の物理層は、ASN．1カプセル化およびMACの処理が実行される第1の情報を、第2の情報および巡回冗長検査（英語：Cyclic Redundancy Check、CRC）コードで直接カスケードする。カスケードは、具体的には、ASN．1カプセル化およびMAC層の処理が実行される第1の情報のbit、第2の情報のbit、CRCコードのbitが連続して接続されることを意味する。
【００８０】
ステップ6032：基地局は、チャネルコーディングを実行するために、第2の情報と、MAC処理が全体として実行される第1の情報の組み合わせ結果を使用する。すなわち、基地局は、ステップ6031でカスケードされた結果に対してチャネルコーディングを実行する。
【００８１】
任意選択で、チャネルコーディングの後、レートマッチングなどの処理がさらに含まれ、コーディング結果の情報bitの量がスクランブルおよび／または変調後に割り当てられた時間周波数リソースグリッドの量と一致する。
【００８２】
ステップ6033：基地局は、対応するスクランブル結果を取得するために、J個の異なるスクランブリングコードの1つを別々に使用することによって、チャネルコーディングおよび／またはレートマッチングの結果に対してスクランブリング処理を実行し、J個のスクランブリングコードのN個の異なるスクランブリングコードのそれぞれは、システムフレーム番号の最後のMbitの値の1つのタイプに対応し、J、N、およびMはすべて自然数で、1＜N≦J、およびN＝M2である。
【００８３】
本出願この実施形態では、物理層は、SFNに従って、物理層の処理後に取得されたデータを送信するために使用される無線フレームを決定する。SFNの一部はシステム情報で示され、別の部分はスクランブリングによって暗黙的に示される。例えば、第1の情報はSFNの最初の8bitが含まれ、SFNの最後の2bitはスクランブリングコードを使用することによって暗黙的に示される。SFNの最後の2bitは、合計で4つの可能な値を有し、具体的には00、01、10、および11である。したがって、合計4つのスクランブリングコードシーケンスがある。スクランブリングコードシーケンスは、Zadoff−Chu（ZC）シーケンスの場合があり、各スクランブリングコードシーケンスは、SFNの最後の2bitの1つのタイプの値に対応する。
【００８４】
スクランブリングコードシーケンス1は、SFNの最後の2bitの値00に対応する。
【００８５】
スクランブリングコードシーケンス2は、SFNの最後の2bitの値01に対応する。
【００８６】
スクランブリングコードシーケンス3は、SFNの最後の2bitの値10に対応する。
【００８７】
スクランブリングコードシーケンス4は、SFNの最後の2bitの値11に対応する。
【００８８】
基地局は、チャネルコーディングおよび／またはレートマッチングの結果をスクランブリングするために、システムフレーム番号の最後の2bitに対応するスクランブリングシーケンスを選択する。
【００８９】
任意選択で、SFNの最後の2bitを示すことに加えて、J個の異なるスクランブリングコードは、TIのいくつかのbitを暗黙的に示すためにさらに使用され得る。例えば、合計8つの異なるスクランブリングコードがあり、各スクランブリングコードはSFNの最後の2bitおよびTIの1bitの値に対応する。
【００９０】
図7では、図6Aおよび図6Bのステップ604およびステップ605の処理プロセスを説明するために概略図が使用される。基地局は、最初に、物理層でのスクランブル結果を取得するために、4つのスクランブリングコードシーケンスの1つのスクランブリングコードを使用することによって、物理層でのチャネルコーディング／レートマッチングの結果をスクランブルする。
【００９１】
ステップ6034：基地局は、変調されたデータを取得するために、物理層でスクランブル結果に対して変調処理を実行する。
【００９２】
任意選択で、変調方式は、事前に構成され得、例えば、直交位相シフトキーイン（英語：Quadrature Phase Shift Keyin、QPSK）変調などである。
【００９３】
ステップ6035：基地局は、変調されたデータをSSBのシーケンス番号に対応するSSBのPBCHにマッピングし、物理層の処理後に取得されたデータを取得するために、各PBCHシンボルにマッピングされたデータに対してIFFT処理を実行する。
【００９４】
任意選択で、基地局は、物理層で変調されたデータに対して次の2つのステップを実行する。
【００９５】
ステップ1：基地局は、変調されたデータの送信に使用される無線フレームのLビットフレーム番号を決定し、Lビットフレーム番号の最初のL−Mビットの値はシステム情報で示され、最後のMビットの値と、変調されたデータを生成するために使用されるスクランブリングコードシーケンスの値の間にはマッピング関係がある。
【００９６】
ステップ2：基地局は、変調されたデータをSSBのシーケンス番号に対応するSSBのPBCHにマッピングし、マッピング結果は、物理層の処理後に取得されたデータである。
【００９７】
さらに例えば、システム情報はSFNの最初の8bitが含まれ、SFNの最後の2ビットはスクランブリングコードを使用することによって暗黙的に示される。表1は、スクランブリングによって取得したスクランブリングコードシーケンス、SFNの最後の2ビットの値、およびスクランブル結果の間の対応を示している。
【００９８】
【表１】
2020519198.tif 000003
【００９９】
表2は、SFNの最後の2ビットの値とSSBを送信するために使用されるフレーム番号のマッピング関係を示し、kの値は自然数で、kは第1の情報に含まれるSFNの最初の8bitの値に基づいて決定される。
【０１００】
【表２】
2020519198.tif 000004
【０１０１】
図7を参照すると、システムフレーム番号の最後の2bitが00である場合、物理層は、変調後に取得されたデータを無線フレーム8kにマッピングする。システムフレーム番号の最後の2bitが01である場合、物理層は、変調後に取得されたデータを無線フレーム8k＋2にマッピングする。システムフレーム番号の最後の2bitが10である場合、物理層は、変調後に取得されたデータを無線フレーム8k＋4にマッピングする。システムフレーム番号の最後の2bitが10である場合、物理層は、変調後に取得されたデータを無線フレーム8k＋6にマッピングする。
【０１０２】
任意選択として、TIは、物理層の処理後に取得されたデータが属するSSBがSSB burst set送信期間にマッピングされる時間周波数リソースを決定するために使用できるため、一方で、物理層の処理後に取得されたデータがマッピングされる無線フレームのフレーム番号は、ステップ1を実行することによって決定され得る。他方、物理層の処理後に取得されたデータがSSB burst set送信期間にマッピングされる時間周波数リソースは、TIを使用することによってさらに決定されてもよい。例えば、基地局は、各TIによって示されるSSBがSSB burst set送信期間にマッピングされる時間周波数リソースに関する情報を事前に格納する。時間周波数リソースに関する情報の時間領域情報は、SSB burst set送信期間の開始位置に対するSSBの相対値であり得る。物理層でTIを生成した後、基地局は、SSB burst set送信期間で生成されたTIに対応するSSBがマッピングされる時間周波数リソースを検索してもよい。
【０１０３】
結論として、基地局は、物理層で変調されたデータのリソースマッピングを完了する、つまり、物理層の処理後に取得されたデータの送信に使用される無線フレームのフレーム番号、および無線フレームの特定の時間周波数リソースに関する情報を決定する。
【０１０４】
ステップ604：基地局は、SSBのPBCHを使用することによってUEに、物理層の処理後に取得されたデータを送信する。
【０１０５】
本出願のこの実施形態で提供される放送信号送信方法では、PBCHで基地局によって最終的に送信される情報の第1の情報は第1のプロトコル層によって生成され、第2の情報は第2のプロトコル層によって生成される。第2の情報は、第2のプロトコル層の下のプロトコル層で処理されることによってのみ、PBCHでUEに送信されてもよい。基地局は、第1の情報および第2の情報に対して物理層の処理を実行する場合、最初に、チャネルコーディングを実行するために、第1の情報および第2の情報を全体として使用する。N個の異なるスクランブリングコードのそれぞれに対応するスクランブル結果を取得するために、N個の異なるスクランブリングコードを別々に使用することによってチャネルコーディングの結果に対してスクランブリング処理が実行され、N個の異なるスクランブリングコードのそれぞれは、システムフレーム番号の最後のMビットの値の1つのタイプに対応し、NおよびMは両方とも自然数であり、N＝M2である。このように、SFNの一部は第1の情報で示され、SFNの別の部分はスクランブリングによって暗黙的に示される。基地局は、N個のデータグループを取得するために、各スクランブリングコードに対応するスクランブル結果に対して変調処理を別々に実行する。基地局は、SFNと第2の情報に基づいて、物理層の処理後に取得されたデータの送信に使用する時間周波数リソースを決定し、次にPBCHで決定された時間周波数リソースを使用することによって、物理層の処理後に取得されたデータを送信する。この解決策を使用することによってSSBを送信する場合、SSBに関連するいくつかの追加情報は、SSBに対応するPBCHシンボルで搬送され得る。
【０１０６】
図8Aおよび図8Bおよび図9では、図4の第2のプロトコル層が物理層であることが、本出願の実施形態で提供される放送信号送信方法をさらに説明するための一例として使用される。
【０１０７】
図8Aおよび図8Bは、本出願の一実施形態による放送信号伝送方法のフローチャートである。図8Aおよび図8Bでは、図1のネットワークデバイス102を説明するための一例として基地局が使用されている。さらに、図8Aおよび図8Bでは、本出願のこの実施形態で提供される放送信号伝送方法は、第1のプロトコル層がRRC層であり、第2のプロトコル層が物理層である一例を使用することによって説明される。
【０１０８】
ステップ800：基地局は、RRC層で第1の情報を生成する。第1の情報は、システム情報を含む。システム情報の説明については、図4で説明した実施形態の説明を参照してください。詳細については、本明細書では再度説明されない。RRC層は、生成された第1の情報に対してASN．1カプセル化を実行し、BCCHを使用することによってASN．1カプセル化が実行された第1の情報をMAC層に送信する。MAC層は、ASN．1カプセル化が実行された受信した第1の情報に対してMAC層の処理を実行し、次にBCHを使用することによって第1の情報を物理層に送信する。
【０１０９】
ステップ801：基地局の物理層は、BCHによって送信されたデータブロックを介して、MACの処理が実行される第1の情報を受信する。第1の情報は、RRC層によって生成されるシステム情報である。
【０１１０】
ステップ802：基地局の物理層は第2の情報を生成する。第2の情報の説明については、前述の実施形態の説明を参照してください。任意選択で、この実施形態では、第2の情報はSSBのTIである。
【０１１１】
ステップ803：基地局は、MAC層の処理が実行される第1の情報および物理層によって生成された第2の情報に対して物理層の処理を実行する。
【０１１２】
任意選択で、物理層の処理がチャネルコーディング、スクランブリング、および変調を含む場合、基地局は、ステップ8031から8034を使用することによって、MAC層の処理が実行される第1の情報および第2の情報に対して物理層の処理を実行できる。
【０１１３】
ステップ8031：基地局は、物理層で、MAC層の処理が実行される第1の情報を第1のCRCコードとカスケードし、第2の情報を第2のCRCコードとカスケードする。
【０１１４】
任意選択で、物理層の処理がチャネルコーディング、スクランブリング、および変調を含む場合、基地局は、ステップ8031から8035を使用することによって、MAC層の処理が実行される第1の情報と第1のCRCコードのカスケードの結果および第2の情報と第2のCRCコードのカスケードの結果に対して物理層の処理を実行できる。
【０１１５】
簡潔にするために、MAC層の処理が実行される第1の情報と第1のCRCコードのカスケードの結果は、略して第1のカスケード結果と呼ばれ、第2の情報と第2のCRCコードのカスケードの結果は、略して第2のカスケード結果と呼ばれる。
【０１１６】
ステップ8032：基地局は、第1のコーディング結果を取得するために第1のコーディングレートを使用することによって第1のカスケード結果に対してチャネルコーディングおよび／またはレートマッチングを実行し、第2のコーディング結果を取得するために第2のコーディングレートを使用することによって第2のカスケード結果に対してチャネルコーディングおよび／またはレートマッチングを実行する。
【０１１７】
任意選択で、比較的低いコーディングレートでコーディングが実行された後、UEが対応するデコーディングを実行するときに取得されるデコーディング結果は、比較的高い信頼性を有する。例えば、TIは、UEの挙動に対する制御に関して比較的高い適時性要件を有し、したがって、第2の情報は、比較的低いコーディングレートでエンコードされ得る。これにより、UEは、複数のフレームで検出されたTIを組み合わせる必要がなく、1つのフレームで検出されたTIのみに基づいてタイムシーケンス調整を実行し、それによって、タイムシーケンス調整を大幅に加速できる。したがって、コーディングレートが設定されるとき、第1のコーディングレートは第2のコーディングレートよりも大きく設定されてもよい。
【０１１８】
任意選択で、チャネルコーディングの後、レートマッチングなどの処理がさらに含まれ、コーディング結果のデータ数量が割り当てられたリソースグリッドの量と一致する。
【０１１９】
ステップ8033：基地局は、対応するスクランブル結果を取得するために、J個の異なるスクランブリングコードの1つを別々に使用することによって、第1のコーディング結果と第2のコーディング結果の組み合わせに対してスクランブリング処理を実行し、J個のスクランブリングコードのN個の異なるスクランブリングコードのそれぞれは、システムフレーム番号の最後のMbitの値の1つのタイプに対応し、J、N、およびMはすべて自然数で、1＜N≦J、およびN＝M2である。
【０１２０】
例えば、第1の情報はSFNの最初の8bitが含まれ、SFNの最後の2bitはスクランブリングコードを使用することによって暗黙的に示される。SFNの最後の2bitは、合計で4つの可能な値を有し、具体的には00、01、10、および11である。したがって、合計4つのスクランブリングコードシーケンスがある。スクランブリングコードシーケンスは、Zadoff−Chu（ZC）シーケンスの場合があり、各スクランブリングコードシーケンスは、SFNの最後の2bitの1つのタイプの値に対応する。
【０１２１】
スクランブリングコードシーケンス1は、SFNの最後の2bitの値00に対応する。
【０１２２】
スクランブリングコードシーケンス2は、SFNの最後の2bitの値01に対応する。
【０１２３】
スクランブリングコードシーケンス3は、SFNの最後の2bitの値10に対応する。
【０１２４】
スクランブリングコードシーケンス4は、SFNの最後の2bitの値11に対応する。
【０１２５】
図9では、図8Aおよび図8Bのステップ804およびステップ805の処理プロセスを説明するために概略図が使用される。任意選択で、第1のコーディング結果と第2のコーディング結果の組み合わせは、異なるスクランブリングコードシーケンスの1つを使用することによってスクランブリングされ得る。第1のコーディング結果と第2のコーディング結果の組み合わせ方法は、スクランブリングが実行されるたびに同じでも異なってもよいことに留意していただきたい。
【０１２６】
例えば、第1のSS burst set期間では、第1のコーディング結果の各ビットおよび第2のコーディング結果の各ビットは、第1の組み合わせられたデータを生成するために間隔を空けて配置され、第1の組み合わせられたデータは、スクランブル結果を取得するために、スクランブルコードグループのZCシーケンス1を使用することによってスクランブリングされる。
【０１２７】
例えば、第2のSS burst set期間では、第1のコーディング結果の各2ビットおよび第2のコーディング結果の各2ビットは、第2の組み合わせられたデータを生成するために間隔を空けて配置され、第2の組み合わせられたデータは、スクランブル結果を取得するために、スクランブルコードグループのZCシーケンス2を使用することによってスクランブリングされる。
【０１２８】
例えば、第3のSS burst set期間では、第3の組み合わせられたデータを生成するために、第1のコーディング結果および第2のコーディング結果が、第1のコーディング結果が第2のコーディング結果より前であるようにカスケードされ、第3の組み合わせられたデータは、スクランブル結果を取得するために、スクランブルコードグループのZCシーケンス3を使用することによってスクランブリングされる。
【０１２９】
例えば、第4のSS burst set期間では、第4の組み合わせられたデータを生成するために、第1のコーディング結果および第2のコーディング結果が、第2のコーディング結果が第1のコーディング結果より前であるようにカスケードされ、第4の組み合わせられたデータは、スクランブル結果を取得するために、スクランブルコードグループのZCシーケンス4を使用することによってスクランブリングされる。
【０１３０】
ステップ8034：基地局は、変調されたデータを取得するために、物理層でスクランブル結果に対して変調処理を実行する。
【０１３１】
任意選択で、変調方式、例えばQPSK変調は、事前に構成され得る。
【０１３２】
ステップ8035：基地局は、変調されたデータをSSBのシーケンス番号に対応するSSBのPBCHにマッピングし、物理層の処理後のデータを取得するために、各PBCHシンボルにマッピングされたデータに対してIFFT処理を実行する。
【０１３３】
任意選択で、基地局は、物理層で変調されたデータに対して次の2つのステップを実行する。
【０１３４】
ステップ1：基地局は、変調されたデータの送信に使用される無線フレームのLビットフレーム番号を決定し、Lビットフレーム番号の最初のL−Mビットの値はシステム情報で示され、最後のMビットの値と、変調されたデータを生成するために使用されるスクランブリングコードシーケンスの値の間にはマッピング関係がある。
【０１３５】
ステップ2：基地局は、変調されたデータをSSBのシーケンス番号に対応するSSBのPBCHにマッピングし、マッピング結果は、物理層の処理後に取得されたデータである。
【０１３６】
さらに、例えば、第1の情報はSFNの最初の8ビットが含まれ、SFNの最後の2ビットはスクランブリングコードを使用することによって暗黙的に示される。表3は、スクランブリングによって取得したスクランブリングコードシーケンス、SFNの最後の2ビットの値、およびスクランブル結果の間の対応を示している。
【０１３７】
【表３】
2020519198.tif 000005
【０１３８】
表4は、SFNの最後の2ビットの値とSSBを送信するために使用されるフレーム番号のマッピング関係を示し、kの値は自然数で、kは第1の情報に含まれるSFNの最初の8bitに基づいて決定される。
【０１３９】
【表４】
2020519198.tif 000006
【０１４０】
図9を参照すると、システムフレーム番号の最後の2bitが00である場合、物理層は、変調後に取得されたデータを無線フレーム8kにマッピングする。システムフレーム番号の最後の2bitが01である場合、物理層は、変調後に取得されたデータを無線フレーム8k＋2にマッピングする。システムフレーム番号の最後の2bitが10である場合、物理層は、変調後に取得されたデータを無線フレーム8k＋4にマッピングする。システムフレーム番号の最後の2bitが10である場合、物理層は、変調後に取得されたデータを無線フレーム8k＋6にマッピングする。
【０１４１】
任意選択として、TIは、物理層の処理後に取得されたデータが属するSSBがSSB burst set送信期間にマッピングされる時間周波数リソースを決定するために使用できるため、一方で、物理層の処理後に取得されたデータがマッピングされる無線フレームのフレーム番号は、ステップ1を実行することによって決定され得る。他方、物理層の処理後に取得されたデータがSSB burst set送信期間にマッピングされる時間周波数リソースは、TIを使用することによってさらに決定されてもよい。例えば、基地局は、各TIによって示されるSSBがSSB burst set送信期間にマッピングされる時間周波数リソースに関する情報を事前に格納する。時間周波数リソースに関する情報の時間領域情報は、SSB burst set送信期間の開始位置に対するSSBの相対値であり得る。物理層でTIを生成した後、基地局は、SSB burst set送信期間で生成されたTIに対応するSSBがマッピングされる時間周波数リソースを検索してもよい。
【０１４２】
結論として、基地局は、物理層で変調されたデータのリソースマッピングを完了する、つまり、物理層の処理後に取得されたデータの送信に使用される無線フレームのフレーム番号、および無線フレームの特定の時間周波数リソースに関する情報を決定する。
【０１４３】
ステップ804：基地局は、SSBのPBCHを使用することによってUEに、物理層の処理後に取得されたデータを送信する。
【０１４４】
本出願のこの実施形態で提供される放送信号送信方法では、PBCHで基地局によって送信される情報の第1の情報は第1のプロトコル層によって生成され、第2の情報は第2のプロトコル層によって生成される。第2の情報は、第2のプロトコル層の下のプロトコル層で処理されることによってのみ、PBCHでUEに送信されてもよい。図6Aおよび図6Bに示される実施形態との違いは、第1の情報および第2の情報に対して物理層の処理を実行する場合、基地局は、2つのチャネルコーディング結果を取得するために第1の情報および第2の情報に対してチャネルコーディングを別々に実行することである。N個の異なるスクランブリングコードのそれぞれに対応するスクランブル結果を取得するために、N個の異なるスクランブリングコードを別々に使用することによって、2つのチャネルコーディング結果の組み合わせに対してスクランブリング処理が実行される。図6Aおよび図6Bに示される実施形態の効果が達成され得ることに基づいて、第1の情報および第2の情報が異なるコーディングレートを使用することによってエンコードされる場合、UEによる第2の情報の検出の精度を改善するために、第2の情報により低いコーディングレートが設定される。したがって、第2の情報に基づいてUE側によってUEの挙動を制御する適時性が改善され、サービス遅延がさらに短縮される。
【０１４５】
図10は、本出願の一実施形態による別の物理層の処理プロセスの概略図である。物理層の処理中、第1の情報のチャネルコーディング結果および第2の情報のチャネルコーディング結果を別々にスクランブリングした後、基地局はスクランブル結果の組み合わせに対して変調およびリソースマッピングを実行する。図10に示されるように、物理層で、基地局は、第1のコーディング結果を取得するために第1のコーディングレートを使用することによって第1の情報に対してチャネルコーディングおよび／またはレートマッチングを実行し、第2のコーディング結果を取得するために第2のコーディングレートを使用することによって第2の情報に対してチャネルコーディングおよび／またはレートマッチングを実行する。基地局は、対応する第1のスクランブル結果および第2のスクランブル結果を取得するために、J個の異なるスクランブリングコードの1つを使用することによって、第1のコーディング結果および第2のコーディング結果に対してスクランブリング処理を別々に実行し、J個のスクランブリングコードのN個の異なるスクランブリングコードのそれぞれは、システムフレーム番号の最後のMビットの値の1つのタイプに対応し、NおよびMは両方とも自然数で、1＜N≦J、およびN＝M2である。図10では、スペースが限られているため、1つの無線フレームのデータのスクランブリング処理は、説明のための一例としてのみ使用され、他の3つの無線フレームの場合も同様である。また、基地局は、変調されたデータを取得するために、第1のスクランブル結果と第2のスクランブル結果の組み合わせに対して変調処理を実行する。基地局は、変調されたデータをSSBのシーケンス番号に対応するSSBのPBCHにマッピングし、物理層によって処理されたデータを取得するために、各PBCHシンボルにマッピングされたデータに対してIFFT処理を実行する。
【０１４６】
図11は、本出願の一実施形態による別の物理層の処理プロセスの概略図である。物理層の処理中に、第1の情報のチャネルコーディング結果および第2の情報のチャネルコーディング結果を別々にスクランブリングおよび変調した後、基地局は別々の変調の結果が組み合わされた後にリソースマッピングを実行する。図11に示されるように、物理層で、基地局は、第1のコーディング結果を取得するために第1のコーディングレートを使用することによって第1の情報に対してチャネルコーディングおよび／またはレートマッチングを実行し、第2のコーディング結果を取得するために第2のコーディングレートを使用することによって第2の情報に対してチャネルコーディングおよび／またはレートマッチングを実行する。基地局は、対応する第1のスクランブル結果および第2のスクランブル結果を取得するために、J個の異なるスクランブリングコードの1つを別々に使用することによって、第1のコーディング結果および第2のコーディング結果に対してスクランブリング処理を別々に実行し、J個のスクランブリングコードのN個の異なるスクランブリングコードのそれぞれは、システムフレーム番号の最後のMビットの値の1つのタイプに対応し、J、N、およびMはすべて自然数で、1＜N≦J、およびN＝M2である。また、基地局は、対応する第1の変調されたデータおよび対応する第2の変調されたデータを取得するために、第1のスクランブル結果および第2のスクランブル結果に対して変調処理を別々に実行する。基地局は、第1の変調されたデータと第2の変調されたデータの組み合わせをSSBのシーケンス番号に対応するSSBのPBCHにマッピングし、物理層の処理後のデータを取得するために、各PBCHシンボルにマッピングされたデータに対してIFFT処理を実行する。
【０１４７】
図12は、本出願の一実施形態による別の物理層の処理プロセスの概略図である。物理層の処理中に、第1の情報のチャネルコーディング結果および第2の情報のチャネルコーディング結果を別々にスクランブリングおよび変調した後、基地局はリソースマッピングを別々に実行し、次にマッピング結果に対してIFFTを実行する。図12に示されるように、基地局は、第1のコーディング結果を取得するために第1のコーディングレートを使用することによって第1の情報に対してチャネルコーディングおよび／またはレートマッチングを実行し、第2のコーディング結果を取得するために第2のコーディングレートを使用することによって第2の情報に対してチャネルコーディングおよび／またはレートマッチングを実行する。基地局は、対応する第1のスクランブル結果および第2のスクランブル結果を取得するために、J個の異なるスクランブリングコードの1つを別々に使用することによって、第1のコーディング結果および第2のコーディング結果に対してスクランブリング処理を別々に実行し、J個のスクランブリングコードのN個の異なるスクランブリングコードのそれぞれは、システムフレーム番号の最後のMビットの値の1つのタイプに対応し、J、N、およびMはすべて自然数で、1＜N≦J、およびN＝M2である。また、基地局は、対応する第1の変調されたデータおよび対応する第2の変調されたデータを取得するために、第1のスクランブル結果および第2のスクランブル結果に対して変調処理を別々に実行する。基地局は、第1のマッピング結果を取得するために、第1の変調されたデータを、SSBのシーケンス番号に対応するSSBのPBCHの第1のリソースにマッピングして、第2のマッピング結果を取得するために、第2の変調されたデータを、SSBのシーケンス番号に対応するSSBのPBCHの第2のリソースにマッピングする。任意選択で、SSBのPBCHに対応するリソースは、時間領域の2つのシンボルおよび周波数領域のサブキャリアのセクションを含む。第1のリソースは時間領域の第1のシンボルであり得、第2のリソースは時間領域の第2のシンボルであり、第1のリソースおよび第2のリソースに対応するサブキャリア範囲は同じである。確かに、SSBのPBCHは、別の分割方法、例えば、周波数領域サブキャリア範囲の分割で、第1のリソ
ースおよび第2のリソースに交互に分割されてもよい。基地局は、第1のIFFT結果および第2のIFFT結果を取得するために、第1のマッピング結果および第2のマッピング結果に対してIFFT処理を別々に実行し、第1のIFFT結果および第2のIFFT結果は物理層の処理後に取得されたデータである。
【０１４８】
図8Aおよび図8Bに示される実施形態と同様に、図10から図12に示される物理層の処理プロセスでは、基地局は、UEによる第2の情報の検出の精度を改善するために、第2の情報により低いコーディングレートを設定できる。したがって、第2の情報に基づいてUE側によってUEの挙動を制御する適時性が改善され、サービス遅延がさらに短縮される。すなわち、第2のコーディングレートは第1のコーディングレートよりも低い。
【０１４９】
図13では、図4の第2のプロトコル層がMAC層であることが、本出願の実施形態で提供される放送信号送信方法をさらに説明するための一例として使用される。図14は、本出願の一実施形態による可能なプロトコルスタック構造に関する放送信号送信方法の概略図である。
【０１５０】
図13に示される放送信号送信方法は、以下のステップを含む。
【０１５１】
ステップ1300：基地局は、RRC層で第1の情報を生成する。第1の情報は、システム情報を含む。システム情報の説明については、図4で説明した実施形態の説明を参照してください。詳細については、本明細書では再度説明されない。基地局は、RRC層で生成された第1の情報に対してASN．1カプセル化を実行し、BCCHを使用することによってASN．1カプセル化が実行された第1の情報をMAC層に送信する。
【０１５２】
ステップ1301：基地局は、BCCHを使用することによって、MAC層で、ASN．1カプセル化が実行された第1の情報を受信する。
【０１５３】
ステップ1302：基地局は、MAC層で第2の情報を生成する。第2の情報の説明については、前述の実施形態の説明を参照してください。詳細については、本明細書では再度説明されない。任意選択で、第2の情報はSSBのTIである。
【０１５４】
ステップ1303：基地局は、BCHを使用することによって物理層に、第2の情報およびASN．1カプセル化が実行された第1の情報を送信する。
【０１５５】
ステップ1304：物理層で、第2の情報およびASN．1カプセル化が実行された第1の情報を取得した後、第2の情報および第1の情報はBCHを使用することによってMAC層によって送信され、基地局は、第2の情報およびASN．1カプセル化が実行された第1の情報に対して物理層の処理を実行する。
【０１５６】
基地局が第2の情報およびASN．1カプセル化が実行された第1の情報に対して物理層の処理を実行するプロセスについては、図6Aおよび図6Bから図9の説明を参照し、詳細は本明細書では再度説明しない。
【０１５７】
ステップ1305：基地局は、SSBのPBCHを使用することによって、物理層の処理後に取得されたデータをユーザ機器UEに送信する。基地局が物理層の処理後に取得されたデータをPBCHを使用することによって、ユーザ機器UEに送信するプロセスについては、図6Aおよび図6Bから図9の説明を参照し、詳細は本明細書では再度説明しない。
【０１５８】
図15は、本出願の一実施形態による放送信号受信方法のフローチャートである。図15では、UEは、図1の端末デバイス104、106、108、110、112、および114を説明する一例として使用される。図15は、主にUEの観点から説明されている。この実施形態におけるUEは、図1のネットワークデバイス102であり得る。任意選択で、UEは、図4から図14の基地局と対話することができる。
【０１５９】
ステップ151：UEは、PBCHを使用することによって基地局によって送信されたデータを受信する。UEのプロトコルスタックは、第1のプロトコル層および第2のプロトコル層を含み、第1のプロトコル層は、第2のプロトコル層の上のプロトコル層である。
【０１６０】
UEのプロトコルスタックと基地局のプロトコルスタックは似た構造を有しているが、プロトコル層の機能は異なる。UEのプロトコルスタックのプロトコル層の例については、図5または図11を参照してください。5Gネットワークにおけるプロトコル層分割はまだ議論中であり、図5に示されるプロトコルスタックは、例えば、複数のプロトコル層が組み合わされたり、新しいプロトコル層が追加されたりするなど、改善され得ることに留意していただきたい。
【０１６１】
任意選択で、第1のプロトコル層はRRC層であり、第2のプロトコル層はMAC層または物理層である。この実施形態では、第1のプロトコル層がRRC層であるということは、第1のプロトコル層と第2のプロトコル層の間の相対関係が、第1のプロトコル層が第2のプロトコル層の上のプロトコル層であることが保証されるという条件で、説明のための一例としてのみ使用される。
【０１６２】
ステップ152：UEは、受信したデータに対して物理層の処理を実行する。任意選択で、物理層の処理は、高速フーリエ変換（英語：Fast Fourier Transformation、FFT）、復調、スクランブル解除、デインターリーブ、チャネルデコーディングなどを含む。
【０１６３】
ステップ153：UEは、第2のプロトコル層で、物理層の処理によって取得したデータから第1の情報および第2の情報を取得する。
【０１６４】
任意選択で、第1の情報はシステム情報を含む。システム情報の説明については、図4の説明を参照してください。本明細書では、繰り返し再度説明されない。
【０１６５】
任意選択で、第2の情報は、第1の情報を搬送する1つ以上の同期信号ブロックSSBに対応する時間周波数リソースを決定するために使用される。
【０１６６】
第2のプロトコル層がMAC層である場合、MAC層は、BCHを使用することによって物理層の処理によって取得したデータを取得し、BCHから取得したデータを処理し、MAC層の処理後のデータから第1の情報および第2の情報を取得する。UEは、第2の情報に基づいてMAC層でUEの挙動を制御し、BCCHを使用することによって第1の情報をRRC層に送信する。MAC処理は、カプセル開放などを含む。
【０１６７】
第2のプロトコル層が物理層である場合、PBCHで受信されたデータに対して物理層の処理を実行した後、物理層は物理層の処理結果から第1の情報および第2の情報を取得する。
【０１６８】
ステップ154：UEは、第2の情報に基づいて、第2のプロトコル層でUEの挙動を制御する。
【０１６９】
第2のプロトコル層がMAC層である場合、UEは第2の情報に基づいてMAC層でUEの挙動を制御し、BCCHを使用することによって第1の情報をRRC層に送信する。
【０１７０】
第2のプロトコル層が物理層である場合、UEは、第2の情報に基づいて物理層でUEの挙動を制御し、BCHを使用することによって第1の情報をMAC層に送信する。さらに、UEは、BCCHを使用することによって、MAC層でRRC層に第1の情報を送信する。
【０１７１】
例えば、第2のプロトコル層は物理層であり、第2の情報はTIである。TIを取得した後、物理層は、データを受信するために物理層によって使用される時間周波数リソースおよびTIによって識別されたSSBがSSBバーストセット送信期間にマッピングされるリソースの事前学習された相対位置に基づいて、データを搬送するSSBが属するSSBバーストセット送信期間の開始位置を推測でき、開始位置をセルの無線フレームの境界として使用することにより、タイムシーケンス調整を実装する。
【０１７２】
図3に示されるSSBの送信方法は、一例として引き続き使用される。UEが時間周波数リソース1のSSB 1でPBCHシンボルを受信すると仮定すると、UEは、SSB 1がSSBバーストセット送信期間にマッピングされる相対位置に基づいて、SSB 1が属するSSBバーストセット送信期間の開始位置を推測することができ、開始位置をセルの無線フレームの境界として使用することにより、タイムシーケンス調整を実装する。
【０１７３】
ステップ155：UEは、第1の情報に基づいて、第1のプロトコル層でUEの挙動を制御する。
【０１７４】
任意選択として、例えば、第1のプロトコル層はRRC層であり、第1の情報はシステム情報である。この場合、RRC層でシステム情報を読み取った後、UEは、セルにアクセスするために、セルのチャネルリソース構成ステータスを学習することができる。
【０１７５】
本出願のこの実施形態で提供される放送信号受信方法では、UEのプロトコルスタックは第1のプロトコル層および第2のプロトコル層を含み、第1のプロトコル層は第2のプロトコル層の上のプロトコル層である。UEは、PBCHを使用することによって基地局によって送信されたデータを受信する。UEが受信したデータに対して物理層の処理を実行した後、UEは、第2のプロトコル層で、物理層の処理によって取得したデータから第1の情報および第2の情報を取得する。UEは、第2の情報に基づいて第2のプロトコル層でUEの挙動を制御し、第1の情報に基づいて第1のプロトコル層でUEの挙動を制御する。PBCHで送信されたデータを、物理層で、処理した後、UEは、物理層の処理後に取得されたすべてのデータを、処理のために第1のプロトコル層に報告する必要はなく、代わりに、第2のプロトコル層で、当該第2の情報、例えば、1つ以上の同期信号ブロックSSBに対応する時間周波数リソースを決定するために使用される情報を直接読み取り、第2の情報に基づいてUEの挙動を制御することができる。UEによってプロトコルスタックの第2の情報を処理するのにかかる時間が短縮されるため、サービス遅延が短縮され得、サービスの適時性が改善され得る。
【０１７６】
図16Aおよび図16Bでは、図15の第2のプロトコル層が物理層であることが、本出願の実施形態で提供される放送信号受信方法をさらに説明するための一例として使用される。
【０１７７】
ステップ161：UEは、同期信号を検出し、同期信号を使用することによって、セル識別子およびPBCHに対応する時間周波数リソースを決定する。
【０１７８】
ステップ162：UEは、PBCHに対応する時間周波数リソースで、PBCHを使用することによって基地局によって送信されたデータを受信する。
【０１７９】
ステップ163：UEは、受信したデータに対して物理層の処理を実行する。
【０１８０】
受信したN個のデータグループに対してUEによって実行される物理層の処理は、基地局が放送信号を送信するときに使用される物理層の処理に対応する。任意選択で、基地局が放送信号を送信するときに図6Aおよび図6Bに示される物理層の処理が使用される場合、受信したN個のデータグループデータに対してUEによって実行される物理層の処理はステップ1630から1634を含む。基地局が放送信号を送信するときに図8Aおよび図8Bに示される物理層の処理が使用される場合、受信したN個のデータグループデータに対してUEによって実行される物理層の処理はステップ1635から16310を含む。
【０１８１】
ステップ1630：UEは、PBCHを使用することによって、基地局によって送信された受信したデータに対してFFT処理を実行する。
【０１８２】
ステップ1631：UEは、復調されたデータを取得するために、FFT処理によって取得したデータを復調する。
【０１８３】
ステップ1632：UEは、ステップ161で取得されたセル識別子に基づいてJ個のスクランブル解除シーケンスを取得する。
【０１８４】
ステップ1633：UEは、復調されたデータをスクランブル解除するために、J個のスクランブル解除シーケンスからスクランブル解除シーケンスを選択する。
【０１８５】
ステップ1634：UEは、スクランブル解除によって取得したデータに対してチャネルデコーディングを実行し、復調されたデータを正しくスクランブル解除するために使用され得るスクランブル解除シーケンスを決定するために、チャネルデコーディングによって取得したデータに対してCRCチェックを実行して、物理層の処理結果として正しいスクランブル解除によって取得したチャネルデコーディング結果を使用し、その結果、UEは、物理層の処理結果から第1の情報および第2の情報を取得する。
【０１８６】
ステップ1635：UEは、PBCHを使用することによって、基地局によって送信された受信したデータに対してFFT処理を実行する。
【０１８７】
ステップ1636：UEは、復調されたデータを取得するために、FFT処理によって取得したデータを復調する。
【０１８８】
ステップ1637：UEは、ステップ161で取得されたセル識別子に基づいてJ個のスクランブル解除シーケンスを取得する。
【０１８９】
ステップ1638：UEは、復調されたデータをスクランブル解除するために、J個のスクランブル解除シーケンスからスクランブル解除シーケンスを選択する。
【０１９０】
ステップ1639：UEは、スクランブル解除されたデータから、それに含まれる第1のデータおよび第2のデータを取得する。スクランブル解除結果から第1のデータおよび第2のデータを取得する方法は、図8Aおよび図8Bのステップ8033で第1のコーディング結果および第2のコーディング結果を組み合わせる方法に対応する。
【０１９１】
ステップ16310：UEは、第1のデコーディングレートを使用することによって第1のデータに対してチャネルデコーディングを実行し、復調されたデータを正しくスクランブル解除するために使用され得るスクランブル解除シーケンスを決定するために、チャネルデコーディングによって取得したデータに対してCRCチェックを実行して、第1の情報として正しいスクランブル解除によって取得したチャネルデコーディング結果を使用する。
【０１９２】
UEは、第2のデコーディングレートを使用することによって第2のデータに対してチャネルデコーディングを実行し、復調したデータを正しくスクランブル解除するために使用され得るスクランブル解除シーケンスを決定するために、チャネルデコーディングによって取得したデータに対してCRCチェックを実行する。第2の情報として、正しいスクランブル解除によって取得したチャネルデコーディング結果が使用される。UEは、物理層の処理結果として第1の情報および第2の情報を使用する。
【０１９３】
任意選択で、デコーディングの精度を改善するために、UEは複数のSSBのPBCHで受信したデータに対して前述の処理を実行し、複数の第1のデータを取得し、複数の第1のデータを組み合わせて、次に第1のデコーディングレートを使用することによって、組み合わせられた第1のデータに対してチャネルデコーディングを実行できる。
【０１９４】
任意選択で、コーディングレートに対応して、第1のデコーディングレートは第2のデコーディングレートよりも大きい。基地局が第2の情報をコーディングするときに使用されるコーディングレートは比較的低いため、UEによって実行される対応するデコーディングのデコーディング精度は比較的高い。したがって、PBCHを使用することによって基地局によって送信されたデータの任意のグループを受信するとき、UEは直ちにデータグループに対して復調およびスクランブル解除の処理を実行し、第2の情報を取得するために、データグループのスクランブル解除結果に含まれる第2のデータを直接デコードできる。
【０１９５】
ステップ164：UEは、物理層の処理結果から第1の情報および第2の情報を取得する。
【０１９６】
ステップ165：UEは、第2の情報に基づいて、物理層でUEの挙動を制御する。
【０１９７】
ステップ166：UEは、取得された第1の情報を、BCHを使用することによって物理層のMAC層に送信し、MAC層はBCCHを使用することによって第1の情報をRRC層にさらに送信する。
【０１９８】
ステップ167：UEは、第1の情報に基づいて、RRC層でUEの挙動を制御する。
【０１９９】
基地局が図10、図11、または図12に示される物理層の処理プロセスを使用することに対応して、UEは、SSBのPBCHから受信されたデータに対応する物理層の処理プロセスを使用し得る。原理は図16Aおよび図16Bの原理と同様であり、詳細は本明細書で再度説明されない。
【０２００】
本出願の一実施形態は、ネットワークデバイスをさらに提供する。例えば、ネットワークデバイスは基地局である。以下では、図17を参照して、基地局を一例として使用することによって、ネットワークデバイスの構造および機能を説明する。図17は、ネットワークデバイスの概略構造図である。ネットワークデバイスは、図1のネットワークデバイスおよび図4から図14に示される実施形態の基地局の機能を実装するために、図1のネットワークデバイスおよび図4から図14の基地局として機能する。図17に示されるように、ネットワークデバイスは、トランシーバ171およびプロセッサ172を含む。
【０２０１】
任意選択で、トランシーバ171は、遠隔無線ユニット（remote radio unit、RRU）、トランシーバユニット、トランシーバ、トランシーバ回路などと呼ばれる場合がある。トランシーバ171は、少なくとも1つのアンテナ1711および無線周波数ユニット1712を含むことができる。トランシーバ171は、無線周波数信号を受信および送信し、無線周波数信号とベースバンド信号の間の変換を実行するように構成されてもよい。
【０２０２】
任意選択で、ネットワークデバイスは、1つ以上のベースバンドユニット（英語：baseband unit、略してBBU）173を含む。ベースバンドユニットは、プロセッサ172を含む。ベースバンドユニット173は、チャネルコーディング、多重化、変調、スペクトル拡散などのベースバンド処理を実行し、基地局を制御するように主に構成される。トランシーバ171およびベースバンドユニット173は、物理的に一緒に配置されてもよく、または互いに物理的に分離されてもよく、すなわち、分散された基地局であってもよい。
【０２０３】
一例では、ベースバンドユニット173は1つ以上のボードを含んでもよく、複数のボードは、単一のアクセス規格の無線アクセスネットワークを共同でサポートするか、異なるアクセス規格の無線アクセスネットワークを個別にサポートしてもよい。ベースバンドユニット173は、プロセッサ172を含む。プロセッサ172は、前述の方法の実施形態で対応する動作を実行するためにネットワークデバイスを制御するように構成され得る。任意選択で、ベースバンドユニット173は、必要な命令および必要なデータを格納するように構成される、メモリ174をさらに含むことができる。
【０２０４】
プロセッサ172は、第1のプロトコル層で第1の情報を生成するように構成され、ネットワークデバイスのプロトコルスタックは第1のプロトコル層および第2のプロトコル層を含み、第2のプロトコル層は第1のプロトコル層の下のプロトコル層であり、第2のプロトコル層で第2の情報を生成するように構成され、第2の情報は1つ以上の同期信号ブロックSSBに対応する時間周波数リソースを決定するために使用される。
【０２０５】
プロセッサ172は、第2のプロトコル層で第1の情報および第2の情報を処理するようにさらに構成される。
【０２０６】
トランシーバ171は、SSBのPBCHを使用することによって、第2のプロトコル層の処理後に取得されたデータをUEに送信するように構成される。
【０２０７】
任意選択で、第1の情報はシステム情報を含む。システム情報は、システム帯域幅パラメータ値、SFN、またはRMSIの構成情報の1つ以上を含む。
【０２０８】
任意選択で、第2のプロトコル層はMAC層または物理層である。第1のプロトコル層はRRC層である。
【０２０９】
第2のプロトコル層がMAC層である場合、SSBのPBCHを使用することによってUEに第2のプロトコル層の処理後に取得されるデータを送信することは、
プロセッサ172によって、第2のプロトコル層の処理によって取得したデータに対して物理層の処理を実行すること、および
トランシーバ171によって、SSBに対応する時間周波数リソースのPBCHシンボルを使用することによって、物理層の処理後に取得されたデータをUEに送信すること
を含む。
【０２１０】
任意選択で、プロセッサ172がMAC層で第1の情報および第2の情報に対してMAC層の処理を実行する特定の方法については、図13および図14の関連説明を参照し、本明細書では、繰り返し再度説明されない。
【０２１１】
任意選択で、プロセッサ172が物理層で第1の情報および第2の情報に対して物理層の処理を実行する特定の方法については、前述の方法の実施形態の説明、特に図6Aおよび図6Bから図12の関連説明を参照し、本明細書では、繰り返し再度説明されない。
【０２１２】
本出願の一実施形態は、ネットワークデバイスをさらに提供する。例えば、ネットワークデバイスは基地局である。以下では、図18を参照して、基地局を一例として使用することによって、ネットワークデバイスの構造および機能を説明する。図18は、ネットワークデバイスの概略構造図である。ネットワークデバイスは、図1のネットワークデバイスおよび図4から図14の基地局として機能し、図1のネットワークデバイスおよび図4から図14に示される実施形態の基地局の機能を有する。図18に示されるように、ネットワークデバイスは、トランシーバユニット181および処理ユニット182を含む。トランシーバユニット181および処理ユニット182は、ソフトウェアまたはハードウェアによって実装されてもよい。ハードウェアによって実装される場合、トランシーバユニット181は、図17のトランシーバ181であってもよく、処理ユニット182は、図17のプロセッサ172であってもよい。
【０２１３】
本出願の実施形態は、例えば、基地局などのネットワークデバイスを提供する。ネットワークデバイスのプロトコルスタックは、第1のプロトコル層および第2のプロトコル層を含み、第2のプロトコル層は、第1のプロトコル層の下のプロトコル層である。ネットワークデバイスの場合、PBCHで最終的に送信される情報の第1の情報はネットワークデバイスの第1のプロトコル層で生成され、第2の情報はネットワークデバイスの第2のプロトコル層で生成され、第2の情報は1つ以上の同期信号ブロックSSBに対応する時間周波数リソースを決定するために使用される。第2の情報は、第2のプロトコル層の下のプロトコル層で処理されることによってのみ、PBCHでUEに送信されてもよい。PBCHで送信されるすべての情報が第1のプロトコル層の下のプロトコルスタック全体で処理される解決策と比較すると、この解決策は、プロトコルスタックにおいて、PBCHで送信される情報を処理するために消費される時間を短縮し、サービスの遅延の短縮化に役立つ。
【０２１４】
本出願の一実施形態は、端末デバイスをさらに提供する。端末デバイスは、前述の方法の実施形態のUEであってもよく、方法の実施形態のUEの任意の機能を有してもよいことを理解していただきたい。図19は、端末デバイスの概略構造図である。端末デバイスは、図1、図15、または図16Aおよび図16Bに示される実施形態におけるUEの機能を実装するために、図1のUE、ならびに図15および図16Aおよび図16BのUEとして機能する。図19に示されるように、端末デバイスは、プロセッサ191およびトランシーバ192を含む。
【０２１５】
任意選択として、トランシーバ192は、制御回路とアンテナを含むことができる。制御回路は、ベースバンド信号と無線周波数信号の間の変換を実行し、無線周波数信号を処理するように構成されてもよく、アンテナは、無線周波数信号を送信および受信するように構成されてもよい。
【０２１６】
任意選択で、装置は、例えばメモリおよび入出力装置など、端末デバイスの他の主要な構成要素をさらに含むことができる。
【０２１７】
プロセッサ191は、例えば、通信プロトコルおよび通信データを処理し、端末デバイス全体を制御し、ソフトウェアプログラムを実行し、ソフトウェアプログラムのデータを処理し、例えば、前述の方法の実施形態の対応する操作を実行する点で端末デバイスをサポートするように構成されてもよい。メモリ193は、ソフトウェアプログラムおよびデータを格納するように主に構成されている。端末デバイスの電源が投入された後、プロセッサ191は、メモリのソフトウェアプログラムを読み取り、ソフトウェアプログラムの命令を解釈および実行し、ソフトウェアプログラムのデータを処理することができる。
【０２１８】
一実施形態では、トランシーバ192、PBCHを使用することによって基地局によって送信されたデータを受信するように構成される。端末デバイスは、第1のプロトコル層および第2のプロトコル層を含み、第1のプロトコル層は、第2のプロトコル層の上のプロトコル層である。
【０２１９】
プロセッサ191は、受信されたデータに対して物理層の処理を実行し、第2のプロトコル層で、物理層の処理結果から第1の情報および第2の情報を取得し、第2の情報は、1つ以上の同期信号ブロックSSBに対応する時間周波数リソースを決定するために使用され、第2のプロトコル層で、第2の情報に基づいて端末デバイスの挙動を制御し、第1のプロトコル層で、第1の情報に基づいて端末デバイスの挙動を制御するように構成される。
【０２２０】
任意選択で、第1の情報はシステム情報である。システム情報の説明については、前述の実施形態の説明を参照してください。本明細書では、繰り返し再度説明されない。
【０２２１】
任意選択で、第1のプロトコル層はRRC層であり、第2のプロトコル層は物理層またはMAC層である。
【０２２２】
任意選択で、トランシーバ192がPBCHを使用することによって基地局によって送信されたデータを受信するプロセス、およびプロセッサ191が受信したデータに対して物理層の処理を実行するプロセスについては、前述の方法の実施形態の説明、特に図1および図15から図16Aおよび図16Bの関連説明を参照してください。詳細については、本明細書では再度説明されない。
【０２２３】
本出願の一実施形態は、端末デバイスをさらに提供する。UEは、前述の方法の実施形態のUEであってもよく、方法の実施形態のUEの任意の機能を有してもよいことを理解していただきたい。図20は、UEの概略構造図である。UEは、図1、図15、ならびに図16Aおよび図16BでUEとして機能し、図1、図15、ならびに図16Aおよび図16Bの実施形態でUEの機能を実装する。図20に示されるように、基地局は、処理ユニット201およびトランシーバユニット202を含む。処理ユニット201およびトランシーバユニット202は、ソフトウェアまたはハードウェアによって実装されてもよい。ハードウェアによって実装される場合、処理ユニット201は図19のプロセッサ191であってもよく、トランシーバユニット202は図19のトランシーバ192であってもよい。
【０２２４】
本出願の一実施形態は、端末デバイスを提供する。端末デバイスのプロトコルスタックは、第1のプロトコル層および第2のプロトコル層を含み、第1のプロトコル層は、第2のプロトコル層の上のプロトコル層である。端末デバイスは、PBCHを使用することによって基地局によって送信されたデータを受信する。UEが受信されたデータに対して物理層の処理を実行した後、端末デバイスは、第2のプロトコル層で、物理層の処理によって取得したデータから第1の情報および第2の情報を取得する。UEは、第2の情報に基づいて第2のプロトコル層で端末デバイスの挙動を制御し、第1の情報に基づいて第1のプロトコル層で端末デバイスの挙動を制御する。物理層で、PBCHで送信されるデータを処理した後、端末デバイスは、物理層の処理後に取得されたすべてのデータを処理のために第1のプロトコル層に報告する必要はなく、代わりに、第2のプロトコル層でその第2の情報を直接読み取り、第2の情報に基づいて端末デバイスの挙動を制御することができる。端末デバイスによってプロトコルスタックの第2の情報を処理するのにかかる時間が短縮されるため、サービス遅延が短縮され得、サービスの適時性が改善され得る。
【０２２５】
本発明の一実施形態は、前述の実施形態におけるネットワークデバイスおよび端末デバイスを含む通信システムをさらに提供する。ネットワークデバイスおよび端末デバイスの機能および相互情報交換の詳細なプロセスについては、前述の実施形態の説明を参照してください。
【０２２６】
使いやすく簡潔な説明のために、前述のシステム、装置、およびユニットの詳細な作業プロセスについて、前述の方法の実施形態における対応するプロセスを指すことは、当業者によって明確に理解され得、詳細は本明細書では再度説明されない。
【０２２７】
前述の実施形態の全部または一部は、ソフトウェア、ハードウェア、ファームウェア、またはそれらの任意の組み合わせを使用することによって実装され得る。ソフトウェアが実施形態を実施するために使用される場合、実施形態は全体または部分的にコンピュータプログラム製品の形で実施され得る。コンピュータプログラム製品は、1つ以上のコンピュータ命令を含む。コンピュータプログラム命令がコンピュータにロードされ実行されると、本発明の実施形態による手順または機能は全面的または部分的に生成される。コンピュータは、汎用コンピュータ、専用コンピュータ、コンピュータネットワーク、または他のプログラム可能な装置とすることができる。コンピュータ命令は、コンピュータ可読記憶媒体に格納されてもよく、またはコンピュータ可読記憶媒体から別のコンピュータ可読記憶媒体に送信されてもよい。例えば、コンピュータ命令は、ウェブサイト、コンピュータ、サーバ、またはデータセンタから別のウェブサイト、コンピュータ、サーバ、またはデータセンタに有線（例えば、同軸ケーブル、光ファイバ、またはデジタル加入者回線（DSL））またはワイヤレス（例えば、赤外線、無線、およびマイクロ波）の方法で送信されてもよい。コンピュータ可読記憶媒体は、コンピュータによってアクセス可能な任意の使用可能媒体、または1つ以上の使用可能媒体を統合したサーバまたはデータセンタなどのデータ記憶デバイスとすることができる。使用可能な媒体は、磁気媒体（例えば、フロッピーディスク、ハードディスク、または磁気テープ）、光学媒体（例えば、DVD）、半導体媒体（例えば、ソリッドステートディスクSolid State Disk（SSD））などであり得る。
【０２２８】
前述の説明は、本発明の単なる特定の実装形態であり、本発明の保護範囲を限定することを意図するものではない。本発明に開示された技術的範囲内で当業者によって容易に理解されるあらゆる変形または置換は、本発明の保護範囲に含まれるものとする。したがって、本発明の保護範囲は特許請求の範囲の保護範囲に従うものとする。
【符号の説明】
【０２２９】
100  ネットワークシステム
102  ネットワークデバイス
104  端末デバイス
106  端末デバイス
108  端末デバイス
110  端末デバイス
112  端末デバイス
114  端末デバイス
171  トランシーバ
172  プロセッサ
173  ベースバンドユニット
174  メモリ
181  トランシーバユニット、トランシーバ
182  処理ユニット
191  プロセッサ
192  トランシーバ
193  メモリ
201  処理ユニット
202  トランシーバユニット
1711  アンテナ
1712  無線周波数ユニット
【図１】
2020519198.tif 000007
【図２】
2020519198.tif 000008
【図３】
2020519198.tif 000009
【図４】
2020519198.tif 000010
【図５】
2020519198.tif 000011
【図６Ａ】
2020519198.tif 000012
【図６Ｂ】
2020519198.tif 000013
【図７】
2020519198.tif 000014
【図８Ａ】
2020519198.tif 000015
【図８Ｂ】
2020519198.tif 000016
【図９】
2020519198.tif 000017
【図１０】
2020519198.tif 000018
【図１１】
2020519198.tif 000019
【図１２】
2020519198.tif 000020
【図１３】
2020519198.tif 000021
【図１４】
2020519198.tif 000022
【図１５】
2020519198.tif 000023
【図１６Ａ】
2020519198.tif 000024
【図１６Ｂ】
2020519198.tif 000025
【図１７】
2020519198.tif 000026
【図１８】
2020519198.tif 000027
【図１９】
2020519198.tif 000028
【図２０】
2020519198.tif 000029
【手続補正書】
【提出日】令和1年12月26日(2019.12.26)
【手続補正１】
【補正対象書類名】明細書
【補正対象項目名】０００９
【補正方法】変更
【補正の内容】
【０００９】
本出願のこの実施形態では、ネットワークデバイスは、第1のプロトコル層の下のプロトコル層で処理することによってのみ、PBCHで端末デバイスに第2の情報を送信することができる。PBCHで送信されるすべての情報が第1のプロトコル層の下のプロトコルスタック全体で処理される解決策と比較すると、この解決策は、プロトコルスタックにおいて、PBCHで送信される情報を処理するために消費される時間を短縮し、サービスの遅延の短縮化に役立つ。
【手続補正２】
【補正対象書類名】明細書
【補正対象項目名】００１９
【補正方法】変更
【補正の内容】
【００１９】
可能な実装形態では、物理層の処理は、チャネルコーディング、レートマッチング、スクランブリング、変調、リソースマッピング、および逆高速フーリエ変換を含み、ネットワークデバイスによって、第1の情報および第2の情報に対して物理層の処理を実行するステップは、
ネットワークデバイスによって、第1のコーディング結果を取得するために、第1のコーディングレートを使用することによって第1の情報に対してチャネルコーディングおよび／またはレートマッチングを実行し、ネットワークデバイスによって、第2のコーディング結果を取得するために、第2のコーディングレートを使用することによって第2の情報に対してチャネルコーディングおよび／またはレートマッチングを実行するステップと、
対応する第1のスクランブル結果および第2のスクランブル結果を取得するために、ネットワークデバイスによって、J個の異なるスクランブリングコードの1つを別々に使用することによって、第1のコーディング結果および第2のコーディング結果に対してスクランブリング処理を実行するステップであって、J個のスクランブリングコードのN個の異なるスクランブリングコードのそれぞれが、システムフレーム番号の最後のMbitの値の1つのタイプに対応し、J、N、およびMがすべて自然数で、1＜N≦J、およびN＝M2である、ステップと、
ネットワークデバイスによって、対応する第1の変調されたデータおよび対応する第2の変調されたデータを取得するために、第1のスクランブル結果および第2のスクランブル結果に対して変調処理を別々に実行するステップと、
ネットワークデバイスによって、第1のマッピング結果を取得するために、第1の変調されたデータをSSBのシーケンス番号に対応するSSBのPBCHの第1のリソースにマッピングし、第2のマッピング結果を取得するために、第2の変調されたデータをSSBのシーケンス番号に対応するSSBのPBCHの第2のリソースにマッピングするステップと、
ネットワークデバイスによって、第1のIFFT結果および第2のIFFT結果を取得するために、第1のマッピング結果および第2のマッピング結果に対して逆高速フーリエ変換IFFT処理を実行するステップであって、第1のIFFT結果および第2のIFFT結果が、物理層の処理後に取得されたデータである、ステップと
を含む。
【手続補正３】
【補正対象書類名】明細書
【補正対象項目名】００４３
【補正方法】変更
【補正の内容】
【００４３】
本明細書は、端末デバイスを参照して実施形態を説明する。端末デバイスは、代替として、UE、アクセス端末、移動局、遠隔局、遠隔端末、モバイルデバイス、ユーザ端末、またはユーザエージェントであってもよい。代替として、端末デバイスは、ワイヤレス通信機能を有するハンドヘルドデバイス、コンピューティングデバイス、ワイヤレスモデムに接続された別の処理デバイス、車載デバイス、ウェアラブルデバイス、将来の5Gネットワークの端末デバイス、将来の進化したパブリックランドモバイルネットワーク（Public Land Mobile Network、PLMN）の端末デバイスなどであってもよい。
【手続補正４】
【補正対象書類名】明細書
【補正対象項目名】００４５
【補正方法】変更
【補正の内容】
【００４５】
本明細書は、ネットワークデバイスを参照して実施形態を説明する。ネットワークデバイスは、端末デバイスと通信するように構成されるデバイスであり得る。ネットワークデバイスは、モバイル通信用のグローバルシステム（Global System of Mobile communications、GSM（登録商標））またはコード分割多元接続（Code Division Multiple Access、CDMA）の基地トランシーバ局（Base Transceiver Station、BTS）であってもよく、あるいは広帯域符号分割多元接続（Wideband Code Division Multiple Access、WCDMA（登録商標））システムのNodeB（NodeB、NB）であってもよく、あるいはロングタームエボリューション（Long Term Evolution、LTE）システムの進化NodeB（Evolutional Node B、eNBまたはeNodeB）であってもよく、あるいはクラウド無線アクセスネットワーク（英語：Cloud Radio Access Network、CRAN）シナリオの無線コントローラ、または5GネットワークのgNodeB（gNBまたはgNodeB）あってもよい。本出願の実施形態では、基地局は、ネットワークデバイスの構造および処理手順を説明するための一例として使用される。
【手続補正５】
【補正対象書類名】明細書
【補正対象項目名】００４９
【補正方法】変更
【補正の内容】
【００４９】
SSBのために導入された追加情報が、複数の機能を実装する場合もありえる。一例としてSSBのTIを使用すると、TIは、SSBが属するSS burst setの送信期間でSSBの順序を示し得るだけでなく、同じTIを持つSSBもSSBが属するSSBバーストセットの送信期間に相対的固定時間周波数リソースにすべてマッピングされる。したがって、1つのSSBでTIを取得した後、UEは、UEとセルの無線フレームの間のタイムシーケンス調整を実装するために、TIのコンテンツおよびSSBバーストセットの送信期間に各TIに対応するSSBがマッピングされた事前学習された時間周波数リソースに基づいて、セルのフレーム／スロット（frame／slot）の境界を推測できる。図3は、可能なSSB送信の解決策の概略図である。図3では、各SS burst set送信期間（periodicity）は2つの無線フレームを含み、各無線フレームは10 msであり、SS burst set送信期間の第1の無線フレームは8つのSSBを含む。各SS burst set送信期間で、SSB 2はSS burst set送信期間の固定時間周波数リソースにマッピングされる。UEがSSBのTI、例えばTI＝2を知っている場合、無線フレームの境界が計算され得る。
【手続補正６】
【補正対象書類名】明細書
【補正対象項目名】００７９
【補正方法】変更
【補正の内容】
【００７９】
ステップ6031：基地局は、第2の情報とMAC処理が実行される第1の情報を組み合わせる。任意選択で、基地局の物理層は、ASN．1カプセル化およびMAC層の処理が実行される第1の情報を、第2の情報および巡回冗長検査（英語：Cyclic Redundancy Check、CRC）コードで直接カスケードする。カスケードは、具体的には、ASN．1カプセル化およびMAC層の処理が実行される第1の情報のbit、第2の情報のbit、CRCコードのbitが連続して接続されることを意味する。
【手続補正７】
【補正対象書類名】明細書
【補正対象項目名】００８０
【補正方法】変更
【補正の内容】
【００８０】
ステップ6032：基地局は、チャネルコーディングを実行するために、第2の情報と、MAC層の処理が全体として実行される第1の情報の組み合わせ結果を使用する。すなわち、基地局は、ステップ6031でカスケードされた結果に対してチャネルコーディングを実行する。
【手続補正８】
【補正対象書類名】明細書
【補正対象項目名】０１０１
【補正方法】変更
【補正の内容】
【０１０１】
図7を参照すると、システムフレーム番号の最後の2bitが00である場合、物理層は、変調後に取得されたデータを無線フレーム8kにマッピングする。システムフレーム番号の最後の2bitが01である場合、物理層は、変調後に取得されたデータを無線フレーム8k＋2にマッピングする。システムフレーム番号の最後の2bitが11である場合、物理層は、変調後に取得されたデータを無線フレーム8k＋4にマッピングする。システムフレーム番号の最後の2bitが10である場合、物理層は、変調後に取得されたデータを無線フレーム8k＋6にマッピングする。
【手続補正９】
【補正対象書類名】明細書
【補正対象項目名】０１０９
【補正方法】変更
【補正の内容】
【０１０９】
ステップ801：基地局の物理層は、BCHによって送信されたデータブロックを介して、MAC層の処理が実行される第1の情報を受信する。第1の情報は、RRC層によって生成されるシステム情報である。
【手続補正１０】
【補正対象書類名】明細書
【補正対象項目名】０１５８
【補正方法】変更
【補正の内容】
【０１５８】
図15は、本出願の一実施形態による放送信号受信方法のフローチャートである。図15では、UEは、図1の端末デバイス104、106、108、110、112、および114を説明する一例として使用される。図15は、主にUEの観点から説明されている。この実施形態におけるUEは、図1の端末デバイス102であり得る。任意選択で、UEは、図4から図14の基地局と対話することができる。
【手続補正１１】
【補正対象書類名】明細書
【補正対象項目名】０１６２
【補正方法】変更
【補正の内容】
【０１６２】
ステップ152：UEは、受信したデータに対して物理層の処理を実行する。任意選択で、物理層の処理は、高速フーリエ変換（英語：Fast Fourier Transform、FFT）、復調、スクランブル解除、デインターリーブ、チャネルデコーディングなどを含む。
【手続補正１２】
【補正対象書類名】明細書
【補正対象項目名】０１６６
【補正方法】変更
【補正の内容】
【０１６６】
第2のプロトコル層がMAC層である場合、MAC層は、BCHを使用することによって物理層の処理によって取得したデータを取得し、BCHから取得したデータを処理し、MAC層の処理後のデータから第1の情報および第2の情報を取得する。UEは、第2の情報に基づいてMAC層でUEの挙動を制御し、BCCHを使用することによって第1の情報をRRC層に送信する。MAC層の処理は、カプセル開放などを含む。
【手続補正１３】
【補正対象書類名】特許請求の範囲
【補正対象項目名】全文
【補正方法】変更
【補正の内容】
【特許請求の範囲】
【請求項１】
放送信号送信方法であって、前記方法はネットワークデバイスによって実行され、前記ネットワークデバイスのプロトコルスタックは第1のプロトコル層および物理層を備え、前記第1のプロトコル層は前記物理層の上のプロトコル層であり、前記方法が、
前記ネットワークデバイスによって、前記第1のプロトコル層で第1の情報を生成するステップと、
前記ネットワークデバイスによって、前記物理層で第2の情報を生成するステップであって、前記第2の情報が、同期信号ブロック（SSB）に対応する時間周波数リソースを決定するために使用される、ステップと、
前記ネットワークデバイスによって、前記物理層で前記第1の情報および前記第2の情報を処理するステップと、
前記ネットワークデバイスによって、前記SSBの物理放送チャネル（PBCH）を使用することによって端末デバイスに物理層の処理後に取得されたデータを送信するステップと
を含む方法。
【請求項２】
前記第2の情報が前記SSBのシーケンス番号の少なくとも部分ビットを有する、請求項1に記載の方法。
【請求項３】
前記物理層の処理において有されるスクランブル処理に用いられるスクランブリングコードが前記SSBの前記シーケンス番号の部分ビットに対応するものである、請求項1または2に記載の方法。
【請求項４】
前記第2の情報が前記SSBのシーケンス番号を含む、請求項1から3のいずれか一項に記載の方法。
【請求項５】
前記物理層の処理がチャネルコーディング、スクランブリング、および変調を含む、請求項1から4のいずれか一項に記載の方法。
【請求項６】
前記ネットワークデバイスによって、前記物理層で前記第1の情報および前記第2の情報を処理するステップが、
前記第1の情報と、前記第2の情報と、巡回冗長検査（CRC）コードとをカスケードするステップを備える、
請求項1から5のいずれか一項に記載の方法。
【請求項７】
物理層の処理は、リソースマッピング、および逆高速フーリエ変換を含み、前記ネットワークデバイスによって、前記第1の情報および前記第2の情報に対して物理層の処理を実行する前記ステップが、
前記ネットワークデバイスによって、前記第1の情報および前記第2の情報を全体として使用することによって、チャネルコーディングおよび／またはレートマッチングを実行するステップと、
前記ネットワークデバイスによって、対応するスクランブル結果を取得するために、J個の異なるスクランブリングコードの1つを別々に使用することによって、前記チャネルコーディングおよび／または前記レートマッチングの結果に対してスクランブリング処理を実行するステップであって、前記J個の異なるスクランブリングコードの1つが、前記第2の情報の部分ビットの前記値に対応し、Jが自然数である、ステップと、
前記ネットワークデバイスによって、変調されたデータを取得するために、前記スクランブル結果に対して変調処理を実行するステップと、
前記ネットワークデバイスによって、前記変調されたデータを前記SSBの前記シーケンス番号に対応する前記SSBのPBCHにマッピングし、物理層の処理後に取得された前記データを取得するために、各PBCHシンボルにマッピングされたデータに対してIFFT処理を実行するステップと
を含む、請求項5または6に記載の方法。
【請求項８】
前記第1の情報がシステム情報を含む、請求項1から7のいずれか一項に記載の方法。
【請求項９】
前記システム情報がシステムフレーム番号（SFN）のビットの第1の部分を含む、請求項8に記載の方法。
【請求項１０】
前記物理層の処理に含まれる、スクランブリング処理に用いられるスクランブリングコードが、前記システムフレーム番号のビットの第2の部分に対応するものである、請求項9に記載の方法。
【請求項１１】
前記第1のプロトコル層が、無線リソース制御RRC層である、請求項1から11のいずれか一項に記載の方法。
【請求項１２】
放送信号受信方法であって、前記方法は、端末デバイスによって実行され、前記端末デバイスのプロトコルスタックは第1のプロトコル層および物理層を含み、前記第1のプロトコル層は前記物理層の上のプロトコル層であり、前記方法が、
前記端末デバイスによって、物理放送チャネルPBCHを使用することによってネットワークデバイスにより送信されたデータを受信するステップと、
前記端末デバイスによって、前記受信されたデータに対して物理層の処理を実行するステップと、
前記物理層の前記端末デバイスによって、物理層の処理結果から第1の情報に関するデータおよび第2の情報を取得するステップであって、前記第2の情報が、前記第1の情報を搬送する同期信号ブロックSSBに対応する時間周波数リソースを決定するために使用され、前記第1の情報に関するデータが前記第1の情報を得るために前記物理層上のプロトコル層で処理される、ステップと、
を含む方法。
【請求項１３】
前記第2の情報が、前記SSBのシーケンス番号の少なくとも部分ビットを備える、請求項12に記載の方法。
【請求項１４】
前記物理層の処理に含まれるスクランブリング解除に用いられるスクランブリングコードが前記SSBの前記シーケンス番号の部分ビットに対応する、請求項12または13に記載の方法。
【請求項１５】
前記第2の情報が前記同期信号ブロックSSBのシーケンス番号を含む、請求項12から14のいずれか一項に記載の方法。
【請求項１６】
前記物理層の処理が、復調、スクランブリング解除、チャネルデコーディングを含む、請求項12から15のいずれか一項に記載の方法。
【請求項１７】
前記第1の情報がシステム情報を含む、請求項12から16のいずれか一項に記載の方法。
【請求項１８】
前記システム情報がシステムフレーム番号（SFN）のビットの第１の部分を含む、請求項17に記載の方法。
【請求項１９】
前記物理層の処理に含まれるスクランブリング解除に用いられるスクランブリングコードが前記システムフレーム番号のビットの第2の部分に対応するものである、請求項18に記載の方法。
【請求項２０】
前記第1のプロトコル層が無線リソース制御（RRC）層である、請求項12から19のいずれか一項に記載の方法。
【請求項２１】
ネットワークデバイスであって、前記ネットワークデバイスのプロトコルスタックは第1のプロトコル層および物理層を備え、前記第1のプロトコル層は前記物理層の上のプロトコル層であり、前記ネットワークデバイスはトランシーバおよびプロセッサを備え、
前記プロセッサが、前記第1のプロトコル層で第1の情報を生成し、前記物理層で第2の情報を生成し、前記第2の情報が、同期信号ブロック（SSB）に対応する時間周波数リソースを決定するために使用され、前記物理層で前記第1の情報および前記第2の情報を処理する、ように構成され、
前記トランシーバが、前記SSBに対応する前記時間周波数リソースの物理放送チャネル（PBCH）を使用することによって端末デバイスに、物理層の処理後に取得されたデータを送信するように構成される、
ネットワークデバイス。
【請求項２２】
前記第2の情報が、前記SSBのシーケンス番号の少なくとも部分ビットを備える、請求項21に記載のネットワークデバイス。
【請求項２３】
前記物理層の処理において含まれるスクランブル処理に用いられるスクランブリングコードが前記SSBの前記シーケンス番号の部分ビットに対応するものである、請求項21または22に記載のネットワークデバイス。
【請求項２４】
前記第2の情報が前記同期信号ブロックSSBのシーケンス番号を含む、請求項21から23のいずれか一項に記載のネットワークデバイス。
【請求項２５】
前記物理層の処理がチャネルコーディング、スクランブリング、および変調を含む、請求項21から24のいずれか一項に記載のネットワークデバイス。
【請求項２６】
前記プロセッサが、前記第1の情報と、前記第2の情報と、巡回冗長検査（CRC）コードとをカスケードするように構成された、請求項21から25のいずれか一項に記載のネットワークデバイス。
【請求項２７】
前記物理層の処理は、リソースマッピング、および逆高速フーリエ変換を含み、
前記プロセッサが、前記第1の情報および前記第2の情報を全体として使用することによって、チャネルコーディングおよび／またはレートマッチングを実行し、
対応するスクランブル結果を取得するために、J個の異なるスクランブリングコードの1つを別々に使用することによって、前記チャネルコーディングおよび／または前記レートマッチングの結果に対してスクランブリング処理を実行し、前記J個の異なるスクランブリングコードの1つが、前記第2の情報の部分ビットの前記値に対応し、Jが自然数であり、
変調されたデータを取得するために、前記スクランブル結果に対して変調処理を実行し、
前記変調されたデータを前記SSBの前記シーケンス番号に対応する前記SSBのPBCHにマッピングし、物理層の処理後に取得された前記データを取得するために、各PBCHシンボルにマッピングされたデータに対してIFFT処理を実行する、
ように構成される、請求項25または26に記載のネットワークデバイス。
【請求項２８】
前記第1の情報がシステム情報を含む、請求項21から27のいずれか一項に記載のネットワークデバイス。
【請求項２９】
前記システム情報がシステムフレーム番号（SFN）のビットの第１の部分を含む、請求項28に記載のネットワークデバイス。
【請求項３０】
前記物理層の処理に含まれるスクランブリング処理に用いられるスクランブリングコードが、前記システムフレーム番号のビットの第2の部分に対応するものである、請求項29に記載のネットワークデバイス。
【請求項３１】
前記第1のプロトコル層が無線リソース制御RRC層である、請求項21から30のいずれか一項に記載のネットワークデバイス。
【請求項３２】
端末デバイスであって、前記端末デバイスのプロトコルスタックは第1のプロトコル層および物理層を備え、前記第1のプロトコル層は前記物理層の上のプロトコル層であり、前記端末デバイスはトランシーバおよびプロセッサを備え、
前記トランシーバが、物理放送チャネルPBCHを使用することによってネットワークデバイスにより送信されたデータを受信するように構成され、
前記プロセッサが、前記受信されたデータに対して物理層の処理を実行し、前記物理層で、物理層の処理結果から第1の情報に関するデータおよび第2の情報を取得するように構成され、前記第2の情報が、前記第1の情報を搬送する1つ以上の同期信号ブロックSSBに対応する時間周波数リソースを決定するために使用され、前記第1の情報に関するデータが前記第1の情報を得るために前記物理層上のプロトコル層で処理される、
端末デバイス。
【請求項３３】
前記第2の情報が、前記SSBのシーケンス番号の少なくとも部分ビットを含む、請求項32に記載の端末デバイス。
【請求項３４】
前記物理層に含まれるスクランブリング解除に用いられるスクランブリングコードが、前記SSBの前記シーケンス番号の部分ビットに対応する、請求項32または33に記載の端末デバイス。
【請求項３５】
前記第2の情報が前記同期信号ブロックSSBのシーケンス番号を含む、請求項32から34のいずれか一項に記載の端末デバイス。
【請求項３６】
前記物理層の処理が、復調、スクランブリング解除、チャネルデコーディングを含む、請求項32から35のいずれか一項に記載の端末デバイス。
【請求項３７】
前記第１の情報がシステム情報を含む、請求項32から36のいずれか一項に記載の端末デバイス。
【請求項３８】
前記システム情報がシステムフレーム番号（SFN）のビットの第１の部分を含む、請求項37に記載の端末デバイス。
【請求項３９】
前記物理層の処理に含まれるスクランブリング解除に用いられるスクランブリングコードが前記システムフレーム番号のビットの第2の部分に対応するものである、請求項38に記載の端末デバイス。
【請求項４０】
前記第1のプロトコル層が無線リソース制御RRC層である、請求項32から39のいずれか一項に記載の端末デバイス。
【請求項４１】
コンピュータ記憶媒体であって、前記コンピュータ記憶媒体が、請求項1から11のいずれか一項に記載の方法を実装するためにネットワークデバイスによって実行されるコンピュータ命令を格納するように構成される、コンピュータ記憶媒体。
【請求項４２】
コンピュータ記憶媒体であって、前記コンピュータ記憶媒体が、請求項12から20のいずれか一項に記載の方法を実装するために端末デバイスによって実行されるコンピュータ命令を格納するように構成される、コンピュータ記憶媒体。
【請求項４３】
ネットワークデバイスであって、前記ネットワークデバイスが、プロセッサ、トランシーバ、およびメモリを備え、前記メモリが命令を格納し、前記命令が前記プロセッサによって実行され、その結果、前記ネットワークデバイスが、請求項1から11のいずれか一項に記載の方法を実行する、ネットワークデバイス。
【請求項４４】
端末デバイスであって、前記端末デバイスが、プロセッサ、トランシーバ、およびメモリを備え、前記メモリが命令を格納し、前記命令が前記プロセッサによって実行され、その結果、前記端末デバイスが、請求項12から20のいずれか一項に記載の方法を実行する、端末デバイス。
【国際調査報告】
2020519198.tif 000030
2020519198.tif 000031
2020519198.tif 000032
2020519198.tif 000033